(57)【要約】本発明の実施形態は、ＡＣＫ／ＮＡＣＫコードブックのビット量により、ＡＣＫ／ＮＡＣＫコードブックのビット量に対応するＰＵＣＣＨリソースを選択して、ＰＵＣＣＨリソース利用度を向上させるようにするフィードバック情報送信方法、ユーザ機器、および基地局を開示する。本発明の実施形態における方法は、ＵＥによる、ダウンリンク制御チャネルを使用することによって基地局によって送信されるスケジューリング情報を受信することであって、ダウンリンク制御チャネルは、事前設定されたダウンリンクサブフレームセットに属すること、ダウンリンクデータチャネル上にあり、かつスケジューリング情報によりスケジュールされたダウンリンクデータを受信すること、アップリンクサブフレームを決定することであって、アップリンクサブフレームは、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであること、フィードバック情報のコードブックを決定すること、フィードバック情報のコードブックによりフィードバック情報に対してチャネル符号化を実行すること、ＰＵＣＣＨリソースインジケーション情報によりＰＵＣＣＨリソースを決定すること、およびアップリンクサブフレームにおけるＰＵＣＣＨリソース上で、符号化されたフィードバック情報を送信することを含む。
2018525928.tif 000002
【特許請求の範囲】
【請求項１】
ダウンリンク制御チャネルを使用することによって基地局によって送信されるスケジューリング情報を受信するように構成された受信モジュールであって、前記ダウンリンク制御チャネルは、事前設定されたダウンリンクサブフレームセットに属し、
前記受信モジュールは、ダウンリンクデータチャネル上にあり、かつ前記スケジューリング情報によりスケジュールされたダウンリンクデータを受信するようにさらに構成された、受信モジュールと、
アップリンクサブフレームを決定するように構成された処理モジュールであって、前記アップリンクサブフレームは、前記ダウンリンクデータに対応するフィードバック情報を送信するのに使用され、かつ前記事前設定されたダウンリンクサブフレームセットは、前記アップリンクサブフレームに関連付けられ、かつ前記基地局によってユーザ機器ＵＥのために構成されたすべてのキャリアのものであるダウンリンクサブフレームのセットであり、
前記処理モジュールは、前記フィードバック情報のコードブックを決定するようにさらに構成され、
前記処理モジュールは、前記フィードバック情報の前記コードブックにより前記フィードバック情報に対してチャネル符号化を実行するようにさらに構成され、かつ
前記処理モジュールは、物理アップリンク制御チャネルＰＵＣＣＨリソースインジケーション情報によりＰＵＣＣＨリソースを決定するようにさらに構成された、処理モジュールと、
前記アップリンクサブフレームにおける前記ＰＵＣＣＨリソース上で、符号化されたフィードバック情報を送信するように構成された送信モジュールと
を備えるユーザ機器ＵＥ。
【請求項２】
前記フィードバック情報の前記コードブックは、第１のコードブックであり、前記処理モジュールは、
ダウンリンク割当てインデックスＤＡＩ累積インジケーションにより前記第１のコードブックを決定するように特に構成され、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項１に記載のＵＥ。
【請求項３】
前記処理モジュールは、
前記ＤＡＩ累積インジケーションおよびＤＡＩ合計量インジケーションにより前記第１のコードブックを決定するように特に構成され、前記ＤＡＩ合計量インジケーションは、前記リアルタイムでスケジュールされたダウンリンクサブフレームサブセットにおけるダウンリンクサブフレームの量を示すのに使用される請求項２に記載のＵＥ。
【請求項４】
前記処理モジュールは、
前記ＰＵＣＣＨリソースインジケーション情報の第１のステータス、および前記ＤＡＩ累積インジケーションにより前記第１のコードブックを決定するように特に構成される請求項２または３に記載のＵＥ。
【請求項５】
前記処理モジュールは、
前記アップリンクサブフレームにおいて事前設定されたＰＵＣＣＨリソースセットを決定し、および
前記第１のコードブックのビット量、および前記ＰＵＣＣＨリソースインジケーション情報により前記リソースセットにおける前記ＰＵＣＣＨリソースを決定するように特に構成される請求項２乃至４のいずれか一項に記載のＵＥ。
【請求項６】
前記処理モジュールは、
前記第１のコードブックのビット量が事前設定された閾値以上である場合、前記第１のコードブックの前記ビット量、巡回冗長検査ＣＲＣのビット量、および前記ＰＵＣＣＨリソースインジケーション情報により前記リソースセットにおける前記ＰＵＣＣＨリソースを決定し、および／または
前記第１のコードブックの前記ビット量が事前設定された閾値未満である場合、前記第１のコードブックの前記ビット量、および前記ＰＵＣＣＨリソースインジケーション情報により前記リソースセットにおける前記ＰＵＣＣＨリソースを決定するように特に構成される請求項５に記載のＵＥ。
【請求項７】
前記処理モジュールは、
前記第１のコードブックの前記ビット量が前記事前設定された閾値以上である場合、前記第１のコードブックの前記ビット量、および前記ＣＲＣの前記ビット量によりビット容量間隔を決定し、および
前記ビット容量間隔および前記ＰＵＣＣＨリソースインジケーション情報により前記リソースセットにおける前記ＰＵＣＣＨリソースを決定するように特に構成される請求項６に記載のＵＥ。
【請求項８】
前記処理モジュールは、
前記第１のコードブックの前記ビット量が前記事前設定された閾値未満である場合、前記第１のコードブックの前記ビット量によりビット容量間隔を決定し、および
前記ビット容量間隔および前記ＰＵＣＣＨリソースインジケーション情報により前記リソースセットにおける前記ＰＵＣＣＨリソースを決定するように特に構成される請求項６に記載のＵＥ。
【請求項９】
前記フィードバック情報の前記コードブックは、第２のコードブックであり、前記処理モジュールは、
事前設定されたダウンリンクサブフレームサブセットを決定し、前記事前設定されたダウンリンクサブフレームサブセットは、前記事前設定されたダウンリンクサブフレームセットに属し、および
前記事前設定されたダウンリンクサブフレームサブセットにより前記第２のコードブックを決定するように特に構成される請求項１に記載のＵＥ。
【請求項１０】
前記処理モジュールは、
前記ＰＵＣＣＨリソースインジケーション情報の第２のステータス、および前記事前設定されたダウンリンクサブフレームサブセットにより前記第２のコードブックを決定するように特に構成される請求項９に記載のＵＥ。
【請求項１１】
前記処理モジュールは、
前記ＰＵＣＣＨリソースインジケーション情報および前記事前設定されたダウンリンクサブフレームサブセットにより前記ＰＵＣＣＨリソースを決定するように特に構成される請求項９に記載のＵＥ。
【請求項１２】
前記処理モジュールは、
前記ＰＵＣＣＨリソースインジケーション情報およびＤＡＩ合計量インジケーションにより前記ＰＵＣＣＨリソースを決定するように特に構成される請求項９乃至１１のいずれか一項に記載のＵＥ。
【請求項１３】
ダウンリンク制御チャネルを使用することによってユーザ機器ＵＥにスケジューリング情報を送信し、およびダウンリンクデータチャネルを使用することによってダウンリンクデータを送信するように構成された送信モジュールであって、前記ダウンリンク制御チャネルは、事前設定されたダウンリンクサブフレームセットに属し、かつ前記スケジューリング情報は、前記ダウンリンクデータをスケジュールするのに使用される、送信モジュールと、
アップリンクサブフレームを決定するように構成された処理モジュールであって、前記アップリンクサブフレームは、前記ＵＥによって、前記ダウンリンクデータに対応するフィードバック情報を送信するのに使用され、かつ前記事前設定されたダウンリンクサブフレームセットは、前記アップリンクサブフレームに関連付けられ、かつ前記基地局によって前記ＵＥのために構成されたすべてのキャリアのものであるダウンリンクサブフレームのセットであり、
前記処理モジュールは、ＰＵＣＣＨリソースを決定するようにさらに構成される、処理モジュールと、
前記アップリンクサブフレームにおける前記ＰＵＣＣＨリソース上で、前記ＵＥによって送信される符号化されたフィードバック情報を受信するように構成された受信モジュールと
を備え、
前記処理モジュールは、前記受信された符号化されたフィードバック情報を復号して、前記フィードバック情報のコードブックを獲得するようにさらに構成される、基地局。
【請求項１４】
前記スケジューリング情報は、ダウンリンク割当てインデックスＤＡＩ累積インジケーションを備え、前記ＤＡＩ累積インジケーションは、第１のコードブックを決定するよう前記ＵＥに命令するのに使用され、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項１３に記載の基地局。
【請求項１５】
前記スケジューリング情報は、ＤＡＩ合計量インジケーションをさらに備え、かつ前記ＤＡＩ合計量インジケーションは、前記リアルタイムでスケジュールされたダウンリンクサブフレームサブセットにおけるダウンリンクサブフレームの量を示すのに使用される請求項１４に記載の基地局。
【請求項１６】
前記スケジューリング情報は、ＰＵＣＣＨリソースインジケーション情報を備え、前記ＰＵＣＣＨリソースインジケーション情報は、前記ＰＵＣＣＨリソースインジケーション情報の第１のステータスであり、かつ前記ＰＵＣＣＨリソースインジケーション情報の前記第１のステータスは、前記第１のコードブックを決定するよう前記ＵＥに命令するのに使用される請求項１４または１５に記載の基地局。
【請求項１７】
前記スケジューリング情報は、ＰＵＣＣＨリソースインジケーション情報を備え、かつ前記ＰＵＣＣＨリソースインジケーション情報、および前記第１のコードブックのビット量は、前記ＰＵＣＣＨリソースを示すのに使用される請求項１４または１５に記載の方法。
【請求項１８】
前記処理モジュールは、
事前設定されたダウンリンクサブフレームサブセットを決定するように特に構成され、
前記事前設定されたダウンリンクサブフレームサブセットは、前記事前設定されたダウンリンクサブフレームセットに属し、前記スケジューリング情報は、前記事前設定されたダウンリンクサブフレームサブセットに属し、かつ前記事前設定されたダウンリンクサブフレームサブセットは、前記ＵＥによって第２のコードブックを決定するのに使用される請求項１３に記載の基地局。
【請求項１９】
前記スケジューリング情報は、ＰＵＣＣＨリソースインジケーション情報を備え、前記ＰＵＣＣＨリソースインジケーション情報は、前記ＰＵＣＣＨリソースインジケーション情報の第２のステータスであり、かつ前記ＰＵＣＣＨリソースインジケーション情報の前記第２のステータスは、前記第２のコードブックを決定するよう前記ＵＥに命令するのに使用される請求項１８に記載の基地局。
【請求項２０】
前記スケジューリング情報は、ＰＵＣＣＨリソースインジケーション情報を備え、かつ前記ＰＵＣＣＨリソースインジケーション情報および前記事前設定されたダウンリンクサブフレームサブセットは、前記ＰＵＣＣＨリソースを決定するよう前記ＵＥに命令するのに使用される請求項１８に記載の基地局。
【請求項２１】
前記スケジューリング情報は、ＰＵＣＣＨリソースインジケーション情報と、ＤＡＩ合計量インジケーションとを備え、かつ前記ＤＡＩ合計量インジケーションは、前記ＰＵＣＣＨリソースを決定するよう前記ＵＥに命令するのに使用される請求項１８に記載の基地局。
【請求項２２】
ユーザ機器ＵＥによる、ダウンリンク制御チャネルを使用することによって基地局によって送信されるスケジューリング情報を受信するステップであって、前記ダウンリンク制御チャネルは、事前設定されたダウンリンクサブフレームセットに属する、ステップと、
前記ＵＥによる、ダウンリンクデータチャネル上にあり、かつ前記スケジューリング情報によりスケジュールされたダウンリンクデータを受信するステップと、
前記ＵＥによる、アップリンクサブフレームを決定するステップであって、前記アップリンクサブフレームは、前記ダウンリンクデータに対応するフィードバック情報を送信するのに使用され、かつ前記事前設定されたダウンリンクサブフレームセットは、前記アップリンクサブフレームに関連付けられ、かつ前記基地局によって前記ＵＥのために構成されたすべてのキャリアのものであるダウンリンクサブフレームのセットである、ステップと、
前記ＵＥによる、前記フィードバック情報のコードブックを決定するステップと、
前記ＵＥによる、前記フィードバック情報の前記コードブックにより前記フィードバック情報に対してチャネル符号化を実行するステップと、
前記ＵＥによる、物理アップリンク制御チャネルＰＵＣＣＨリソースインジケーション情報によりＰＵＣＣＨリソースを決定するステップと、
前記ＵＥによる、前記アップリンクサブフレームにおける前記ＰＵＣＣＨリソース上で、符号化されたフィードバック情報を送信するステップと
を備えるフィードバック情報送信方法。
【請求項２３】
前記フィードバック情報の前記コードブックは、第１のコードブックであり、前記ＵＥによる、前記フィードバック情報のコードブックを決定する前記ステップは、
前記ＵＥによる、ダウンリンク割当てインデックスＤＡＩ累積インジケーションにより前記第１のコードブックを決定するステップであって、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである、ステップを備える請求項２２に記載の方法。
【請求項２４】
前記ＵＥによる、ＤＡＩ累積インジケーションにより前記第１のコードブックを決定する前記ステップは、
前記ＵＥによる、前記ＤＡＩ累積インジケーションおよびＤＡＩ合計量インジケーションにより前記第１のコードブックを決定するステップであって、前記ＤＡＩ合計量インジケーションは、前記リアルタイムでスケジュールされたダウンリンクサブフレームサブセットにおけるダウンリンクサブフレームの量を示すのに使用される、ステップを備える請求項２３に記載の方法。
【請求項２５】
前記ＵＥによる、ＤＡＩ累積インジケーションにより前記第１のコードブックを決定する前記ステップは、
前記ＵＥによる、前記ＰＵＣＣＨリソースインジケーション情報の第１のステータス、および前記ＤＡＩ累積インジケーションにより前記第１のコードブックを決定するステップを備える請求項２３または２４に記載の方法。
【請求項２６】
前記ＵＥによる、ＰＵＣＣＨリソースインジケーション情報によりＰＵＣＣＨリソースを決定する前記ステップは、
前記ＵＥによる、前記アップリンクサブフレームにおける事前設定されたＰＵＣＣＨリソースセットを決定するステップと、
前記ＵＥによる、前記第１のコードブックのビット量、および前記ＰＵＣＣＨリソースインジケーション情報により前記リソースセットにおける前記ＰＵＣＣＨリソースを決定するステップとを備える請求項２３乃至２５のいずれか一項に記載の方法。
【請求項２７】
前記ＵＥによる、前記第１のコードブックのビット量、および前記ＰＵＣＣＨリソースインジケーション情報により前記リソースセットにおける前記ＰＵＣＣＨリソースを決定する前記ステップは、
前記第１のコードブックの前記ビット量が事前設定された閾値以上である場合、前記ＵＥによる、前記第１のコードブックの前記ビット量、巡回冗長検査ＣＲＣのビット量、および前記ＰＵＣＣＨリソースインジケーション情報により前記リソースセットにおける前記ＰＵＣＣＨリソースを決定するステップおよび／または
前記第１のコードブックの前記ビット量が事前設定された閾値未満である場合、前記ＵＥによる、前記第１のコードブックの前記ビット量、および前記ＰＵＣＣＨリソースインジケーション情報により前記リソースセットにおける前記ＰＵＣＣＨリソースを決定するステップを備える請求項２６に記載の方法。
【請求項２８】
前記ＵＥによる、前記第１のコードブックの前記ビット量、ＣＲＣのビット量、および前記ＰＵＣＣＨリソースインジケーション情報により前記リソースセットにおける前記ＰＵＣＣＨリソースを決定する前記ステップは、
前記ＵＥによる、前記第１のコードブックの前記ビット量、および前記ＣＲＣの前記ビット量によりビット容量間隔を決定するステップと、
前記ＵＥによる、前記ビット容量間隔および前記ＰＵＣＣＨリソースインジケーション情報により前記リソースセットにおける前記ＰＵＣＣＨリソースを決定するステップと
を備える請求項２７に記載の方法。
【請求項２９】
前記ＵＥによる、前記第１のコードブックの前記ビット量、および前記ＰＵＣＣＨリソースインジケーション情報により前記リソースセットにおける前記ＰＵＣＣＨリソースを決定する前記ステップは、
前記ＵＥによる、前記第１のコードブックの前記ビット量によりビット容量間隔を決定するステップと、
前記ＵＥによる、前記ビット容量間隔および前記ＰＵＣＣＨリソースインジケーション情報により前記リソースセットにおける前記ＰＵＣＣＨリソースを決定するステップと
を備える請求項２７に記載の方法。
【請求項３０】
前記フィードバック情報の前記コードブックは、第２のコードブックであり、前記ＵＥによる、前記フィードバック情報のコードブックを決定する前記ステップは、
前記ＵＥによる、事前設定されたダウンリンクサブフレームサブセットを決定するステップであって、前記事前設定されたダウンリンクサブフレームサブセットは、前記事前設定されたダウンリンクサブフレームセットに属する、ステップと、
前記ＵＥによる、前記事前設定されたダウンリンクサブフレームサブセットにより前記第２のコードブックを決定するステップと
を備える請求項２２に記載の方法。
【請求項３１】
前記ＵＥによる、前記事前設定されたダウンリンクサブフレームサブセットにより前記第２のコードブックを決定する前記ステップは、
前記ＵＥによる、前記ＰＵＣＣＨリソースインジケーション情報の第２のステータス、および前記事前設定されたダウンリンクサブフレームサブセットにより前記第２のコードブックを決定するステップを備える請求項３０に記載の方法。
【請求項３２】
前記ＵＥによる、ＰＵＣＣＨリソースインジケーション情報によりＰＵＣＣＨリソースを決定する前記ステップは、
前記ＵＥによる、前記ＰＵＣＣＨリソースインジケーション情報および前記事前設定されたダウンリンクサブフレームサブセットにより前記ＰＵＣＣＨリソースを決定するステップを備える請求項３０に記載の方法。
【請求項３３】
前記ＵＥによる、ＰＵＣＣＨリソースインジケーション情報によりＰＵＣＣＨリソースを決定する前記ステップは、
前記ＵＥによる、前記ＰＵＣＣＨリソースインジケーション情報およびＤＡＩ合計量インジケーションにより前記ＰＵＣＣＨリソースを決定するステップを備える請求項３０乃至３２のいずれか一項に記載の方法。
【請求項３４】
基地局による、ダウンリンク制御チャネルを使用することによってユーザ機器ＵＥにスケジューリング情報を送信するステップ、およびダウンリンクデータチャネルを使用することによってダウンリンクデータを送信するステップであって、前記ダウンリンク制御チャネルは、事前設定されたダウンリンクサブフレームセットに属し、かつ前記スケジューリング情報は、前記ダウンリンクデータをスケジュールするのに使用される、ステップと、
前記基地局による、アップリンクサブフレームを決定するステップであって、前記アップリンクサブフレームは、前記ＵＥによって、前記ダウンリンクデータに対応するフィードバック情報を送信するのに使用され、かつ前記事前設定されたダウンリンクサブフレームセットは、前記アップリンクサブフレームに関連付けられ、かつ前記基地局によって前記ＵＥのために構成されたすべてのキャリアのものであるダウンリンクサブフレームのセットである、ステップと、
前記基地局による、ＰＵＣＣＨリソースを決定するステップと、
前記基地局による、前記アップリンクサブフレームにおける前記ＰＵＣＣＨリソース上で、前記ＵＥによって送信された符号化されたフィードバック情報を受信するステップと、
前記基地局による、前記受信された符号化されたフィードバック情報を復号して、前記フィードバック情報のコードブックを獲得するステップと
を備えるフィードバック情報受信方法。
【請求項３５】
前記スケジューリング情報は、ダウンリンク割当てインデックスＤＡＩ累積インジケーションを備え、前記ＤＡＩ累積インジケーションは、第１のコードブックを決定するよう前記ＵＥに命令するのに使用され、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項３４に記載の方法。
【請求項３６】
前記スケジューリング情報は、ＤＡＩ合計量インジケーションをさらに備え、かつ前記ＤＡＩ合計量インジケーションは、前記リアルタイムでスケジュールされたダウンリンクサブフレームサブセットにおけるダウンリンクサブフレームの量を示すのに使用される請求項３５に記載の方法。
【請求項３７】
前記スケジューリング情報は、ＰＵＣＣＨリソースインジケーション情報を備え、前記ＰＵＣＣＨリソースインジケーション情報は、前記ＰＵＣＣＨリソースインジケーション情報の第１のステータスであり、かつ前記ＰＵＣＣＨリソースインジケーション情報の前記第１のステータスは、前記第１のコードブックを決定するよう前記ＵＥに命令するのに使用される請求項３５または３６に記載の方法。
【請求項３８】
前記スケジューリング情報は、ＰＵＣＣＨリソースインジケーション情報を備え、かつ前記ＰＵＣＣＨリソースインジケーション情報、および前記第１のコードブックのビット量は、前記ＰＵＣＣＨリソースを決定するよう前記ＵＥに命令するのに使用される請求項３５または３６に記載の方法。
【請求項３９】
前記基地局による、事前設定されたダウンリンクサブフレームサブセットを決定するステップであって、前記事前設定されたダウンリンクサブフレームサブセットは、前記事前設定されたダウンリンクサブフレームセットに属し、前記スケジューリング情報は、前記事前設定されたダウンリンクサブフレームサブセットに属し、かつ前記事前設定されたダウンリンクサブフレームサブセットは、前記ＵＥによって第２のコードブックを決定するのに使用される、ステップをさらに備える請求項３４に記載の方法。
【請求項４０】
前記スケジューリング情報は、ＰＵＣＣＨリソースインジケーション情報を備え、前記ＰＵＣＣＨリソースインジケーション情報は、前記ＰＵＣＣＨリソースインジケーション情報の第２のステータスであり、かつ前記ＰＵＣＣＨリソースインジケーション情報の前記第２のステータスは、前記第２のコードブックを決定するよう前記ＵＥに命令するのに使用される請求項３９に記載の方法。
【請求項４１】
前記スケジューリング情報は、ＰＵＣＣＨリソースインジケーション情報を備え、かつ前記ＰＵＣＣＨリソースインジケーション情報および前記事前設定されたダウンリンクサブフレームサブセットは、前記ＰＵＣＣＨリソースを決定するよう前記ＵＥに命令するのに使用される請求項３９に記載の方法。
【請求項４２】
前記スケジューリング情報は、ＰＵＣＣＨリソースインジケーション情報と、ＤＡＩ合計量インジケーションとを備え、かつ前記ＤＡＩ合計量インジケーションは、前記ＰＵＣＣＨリソースを決定するよう前記ＵＥに命令するのに使用される請求項３９に記載の方法。
【発明の詳細な説明】
【技術分野】
【０００１】
本発明は、ワイヤレス通信の分野に関し、詳細には、フィードバック情報送信方法、ユーザ機器、および基地局に関する。
【背景技術】
【０００２】
キャリアアグリゲーション（Ｃｏｍｐｏｎｅｎｔ  Ａｇｇｒｅｇａｔｉｏｎ、ＣＡ）は、基地局がユーザ機器（Ｕｓｅｒ  Ｅｑｕｉｐｍｅｎｔ、ＵＥ）のために複数の連続する、または連続しないキャリアを構成することを意味し、ＵＥは、複数のキャリアを使用することによってアップリンク伝送とダウンリンク伝送を同時に実行して、データ伝送レートを増加させるようにすることができる。ＵＥは、キャリアのサブフレームにおいて物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を検出し、ＰＤＣＣＨ上で搬送されるスケジューリング情報により、ダウンリンクデータチャネル上で情報を受信すること、もしくはアップリンクデータチャネル上で情報を送信することができる。
【０００３】
ロングタームエボリューション（Ｌｏｎｇ  Ｔｅｒｍ  Ｅｖｏｌｕｔｉｏｎ、ＬＴＥ）システムのハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）機構において、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を使用することによって基地局によって送信されたダウンリンクデータを受信した後、ＵＥは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）上で応答情報コードブックをフィードバックする。応答情報コードブックは、確認応答（Ａｃｋｎｏｗｌｅｄｇｅｍｅｎｔ、ＡＣＫ）と、否定応答（Ｎｅｇａｔｉｖｅ  Ａｃｋｎｏｗｌｅｄｇｅｍｅｎｔ、ＮＡＣＫ）とを含む。ＵＥが、ダウンリンクサブフレームにおいて受信されたダウンリンクデータを正しく復号した場合、ＵＥは、ＡＣＫをフィードバックし、またはＵＥがダウンリンクデータを不正確に復号した場合、ＵＥは、ＮＡＣＫをフィードバックする。
【０００４】
従来技術におけるフィードバック情報送信方法は、一般に、以下のとおりである。基地局が、ＵＥのために合計でＭのキャリアを構成する。基地局が、ＭのキャリアのＮのダウンリンクサブフレームにおいてスケジューリングを実行した場合、ＵＥは、ＭのキャリアのＮのダウンリンクサブフレームにより、ＡＣＫ／ＮＡＣＫコードブックを生成し、スケジューリングが実行されないダウンリンクサブフレームに対応するＡＣＫ／ＮＡＣＫコードブックの位置でＮＡＣＫを記入し、次に、ＡＣＫ／ＮＡＣＫコードブックを、一次キャリアのアップリンクサブフレームにおけるＰＵＣＣＨリソース上で送信する。
【０００５】
しかし、ダウンリンクデータが、ＵＥのために構成されたＭのキャリアのＮのダウンリンクサブフレームの比較的小さい部分しか占有しない場合、スケジューリングが存在しないため、ＭのキャリアのＮのダウンリンクサブフレームによりＵＥによって生成されるＡＣＫ／ＮＡＣＫコードブックに比較的大量のＮＡＣＫが記入される。その結果、ＰＵＣＣＨリソース利用度が低い。
【発明の概要】
【０００６】
本発明の実施形態が、ＡＣＫ／ＮＡＣＫコードブックのビット量を決定し、ＡＣＫ／ＮＡＣＫコードブックのビット量により、ＡＣＫ／ＮＡＣＫコードブックのビット量に対応するＰＵＣＣＨリソースを選択して、ＰＵＣＣＨリソース利用度を向上させるようにするフィードバック情報送信方法、ユーザ機器、および基地局を提供する。
【０００７】
本発明の第１の態様は、
ダウンリンク制御チャネルを使用することによって基地局によって送信されるスケジューリング情報を受信するように構成された受信モジュールダウンリンク制御チャネルは、事前設定されたダウンリンクサブフレームセットに属し、
受信モジュールは、ダウンリンクデータチャネル上にあり、かつスケジューリング情報によりスケジュールされたダウンリンクデータを受信するようにさらに構成された、受信モジュールと、
アップリンクサブフレームを決定するように構成された処理モジュールであって、アップリンクサブフレームは、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであり、
処理モジュールは、フィードバック情報のコードブックを決定するようにさらに構成され、
処理モジュールは、フィードバック情報のコードブックによりフィードバック情報に対してチャネル符号化を実行するようにさらに構成され、かつ
処理モジュールは、物理アップリンク制御チャネルＰＵＣＣＨリソースインジケーション情報によりＰＵＣＣＨリソースを決定するようにさらに構成された、処理モジュールと、
アップリンクサブフレームにおけるＰＵＣＣＨリソース上で、符号化されたフィードバック情報を送信するように構成された送信モジュールと
を含むＵＥを提供する。
【０００８】
本発明の第１の態様に関して、本発明の第１の態様の第１の実装において、フィードバック情報のコードブックは、第１のコードブックであり、処理モジュールは、
ダウンリンク割当てインデックスＤＡＩ累積インジケーションにより第１のコードブックを決定するように特に構成され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットにあるダウンリンクサブフレームのセットである。
【０００９】
本発明の第１の態様に関して、本発明の第１の態様の第２の実装において、処理モジュールは、ＤＡＩ累積インジケーションおよびＤＡＩ合計量インジケーションにより第１のコードブックを決定することであって、ＤＡＩ合計量インジケーションは、リアルタイムでスケジュールされたダウンリンクサブフレームサブセットにおけるダウンリンクサブフレームの量を示すのに使用されることを行うように特に構成される。
【００１０】
本発明の第１の態様の実装のいずれかに関して、第３の実装において、処理モジュールは、
ＰＵＣＣＨリソースインジケーション情報の第１のステータス、およびＤＡＩ累積インジケーションにより第１のコードブックを決定するように特に構成される。
【００１１】
本発明の第１の態様の実装のいずれか１つに関して、第４の実装において、処理モジュールは、アップリンクサブフレームにおいて事前設定されたＰＵＣＣＨリソースセットを決定し、および
第１のコードブックのビット量、およびＰＵＣＣＨリソースインジケーション情報によりリソースセットにおけるＰＵＣＣＨリソースを決定するように特に構成される。
【００１２】
本発明の第１の態様の実装のいずれか１つに関して、第５の実装において、処理モジュールは、
第１のコードブックのビット量が事前設定された閾値以上である場合、第１のコードブックのビット量、巡回冗長検査ＣＲＣのビット量、およびＰＵＣＣＨリソースインジケーション情報によりリソースセットにおけるＰＵＣＣＨリソースを決定し、および／または
第１のコードブックのビット量が事前設定された閾値未満である場合、第１のコードブックのビット量、およびＰＵＣＣＨリソースインジケーション情報によりリソースセットにおけるＰＵＣＣＨリソースを決定するように特に構成される。
【００１３】
本発明の第１の態様の実装のいずれか１つに関して、第６の実装において、処理モジュールは、
第１のコードブックのビット量、およびＣＲＣのビット量によりビット容量間隔を決定し、および
ビット容量間隔およびＰＵＣＣＨリソースインジケーション情報によりリソースセットにおけるＰＵＣＣＨリソースを決定するように特に構成される。
【００１４】
本発明の第１の態様の実装のいずれか１つに関して、第７の実装において、処理モジュールは、第１のコードブックのビット量によりビット容量間隔を決定し、および
ビット容量間隔およびＰＵＣＣＨリソースインジケーション情報によりリソースセットにおけるＰＵＣＣＨリソースを決定するように特に構成される。
【００１５】
本発明の第１の態様に関して、第８の実装において、フィードバック情報のコードブックは、第２のコードブックであり、処理モジュールは、
事前設定されたダウンリンクサブフレームサブセットを決定することであって、事前設定されたダウンリンクサブフレームサブセットは、事前設定されたダウンリンクサブフレームセットに属すること、および
事前設定されたダウンリンクサブフレームサブセットにより第２のコードブックを決定することを行うように特に構成される。
【００１６】
本発明の第１の態様の第８の実装に関して、第９の実装において、処理モジュールは、
ＰＵＣＣＨリソースインジケーション情報の第２のステータス、および事前設定されたダウンリンクサブフレームサブセットにより第２のコードブックを決定するように特に構成される。
【００１７】
本発明の第１の態様の第８または第９の実装に関して、第１０の実装において、処理モジュールは、ＰＵＣＣＨリソースインジケーション情報および事前設定されたダウンリンクサブフレームサブセットによりＰＵＣＣＨリソースを決定するように特に構成される。
【００１８】
本発明の第１の態様の第８、第９、または第１０の実装に関して、第１１の実装において、処理モジュールは、  ＰＵＣＣＨリソースインジケーション情報およびＤＡＩ合計量インジケーションによりＰＵＣＣＨリソースを決定するように特に構成される。
【００１９】
本発明の第２の態様が、
ダウンリンク制御チャネルを使用することによってユーザ機器ＵＥにスケジューリング情報を送信すること、およびダウンリンクデータチャネルを使用することによってダウンリンクデータを送信することを行うように構成された送信モジュールであって、ダウンリンク制御チャネルは、事前設定されたダウンリンクサブフレームセットに属し、かつスケジューリング情報は、ダウンリンクデータをスケジュールするのに使用される、送信モジュールと、
アップリンクサブフレームを決定するように構成された処理モジュールであって、アップリンクサブフレームは、ＵＥによって、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであり、
処理モジュールは、ＰＵＣＣＨリソースを決定するようにさらに構成される、処理モジュールと、
アップリンクサブフレームにおけるＰＵＣＣＨリソース上で、ＵＥによって送信される符号化されたフィードバック情報を受信するように構成された受信モジュールとを含む基地局であって、
処理モジュールは、受信された符号化されたフィードバック情報を復号して、フィードバック情報のコードブックを獲得するようにさらに構成される、基地局を提供する。
【００２０】
本発明の第２の態様に関して、本発明の第２の態様の第１の実装において、スケジューリング情報は、ダウンリンク割当てインデックスＤＡＩ累積インジケーションを含み、ＤＡＩ累積インジケーションは、第１のコードブックを決定するようＵＥに命令するのに使用され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットに入っているダウンリンクサブフレームのセットである。
【００２１】
本発明の第２の態様の第１の実装に関して、本発明の第２の態様の第２の実装において、スケジューリング情報は、ＤＡＩ合計量インジケーションをさらに含み、かつＤＡＩ合計量インジケーションは、リアルタイムでスケジュールされたダウンリンクサブフレームサブセットにおけるダウンリンクサブフレームの量を示すのに使用される。
【００２２】
本発明の第２の態様の実装のいずれかに関して、本発明の第２の態様の第３の実装において、スケジューリング情報は、ＰＵＣＣＨリソースインジケーション情報を含み、ＰＵＣＣＨリソースインジケーション情報は、ＰＵＣＣＨリソースインジケーション情報の第１のステータスであり、かつＰＵＣＣＨリソースインジケーション情報の第１のステータスは、第１のコードブックを決定するようＵＥに命令するのに使用される。
【００２３】
本発明の第２の態様の実装のいずれか１つに関して、本発明の第２の態様の第４の実装において、スケジューリング情報は、ＰＵＣＣＨリソースインジケーション情報を含み、かつＰＵＣＣＨリソースインジケーション情報、および第１のコードブックのビット量は、ＰＵＣＣＨリソースを示すのに使用される。
【００２４】
本発明の第２の態様に関して、本発明の第２の態様の第５の実装において、処理モジュールは、
事前設定されたダウンリンクサブフレームサブセットを決定することであって、事前設定されたダウンリンクサブフレームサブセットは、事前設定されたダウンリンクサブフレームセットに属し、スケジューリング情報は、事前設定されたダウンリンクサブフレームサブセットに属し、かつ事前設定されたダウンリンクサブフレームサブセットは、ＵＥによって第２のコードブックを決定するのに使用されることを行うように特に構成される。
【００２５】
本発明の第２の態様の第５の実装に関して、本発明の第２の態様の第６の実装において、スケジューリング情報は、ＰＵＣＣＨリソースインジケーション情報を含み、ＰＵＣＣＨリソースインジケーション情報は、ＰＵＣＣＨリソースインジケーション情報の第２のステータスであり、かつＰＵＣＣＨリソースインジケーション情報の第２のステータスは、第２のコードブックを決定するようＵＥに命令するのに使用される。
【００２６】
本発明の第２の態様の第５、または第６の実装に関して、本発明の第２の態様の第７の実装において、スケジューリング情報は、ＰＵＣＣＨリソースインジケーション情報を含み、かつＰＵＣＣＨリソースインジケーション情報および事前設定されたダウンリンクサブフレームサブセットは、ＰＵＣＣＨリソースを決定するようＵＥに命令するのに使用される。
【００２７】
本発明の第２の態様の第５、第６、または第７の実装に関して、本発明の第２の態様の第８の実装において、スケジューリング情報は、ＰＵＣＣＨリソースインジケーション情報と、ＤＡＩ合計量インジケーションとを含み、かつＤＡＩ合計量インジケーションは、ＰＵＣＣＨリソースを決定するようＵＥに命令するのに使用される。
【００２８】
本発明の実施形態の第３の態様が、
ＵＥによる、ダウンリンク制御チャネルを使用することによって基地局によって送信されるスケジューリング情報を受信することであって、ダウンリンク制御チャネルは、事前設定されたダウンリンクサブフレームセットに属すること、
ＵＥによる、ダウンリンクデータチャネル上にあり、かつスケジューリング情報によりスケジュールされたダウンリンクデータを受信すること、
ＵＥによる、アップリンクサブフレームを決定することであって、アップリンクサブフレームは、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであること、
ＵＥによる、フィードバック情報のコードブックを決定すること、
ＵＥによる、フィードバック情報のコードブックによりフィードバック情報に対してチャネル符号化を実行すること、
ＵＥによる、物理アップリンク制御チャネルＰＵＣＣＨリソースインジケーション情報によりＰＵＣＣＨリソースを決定すること、および
ＵＥによる、アップリンクサブフレームにおけるＰＵＣＣＨリソース上で、符号化されたフィードバック情報を送信することを含むフィードバック情報送信方法を提供する。
【００２９】
本発明の第３の態様に関して、本発明の第３の態様の第１の実装において、フィードバック情報のコードブックは、第１のコードブックであり、ＵＥによる、フィードバック情報のコードブックを決定することは、
ＵＥによる、ダウンリンク割当てインデックスＤＡＩ累積インジケーションにより第１のコードブックを決定することであって、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットに入っているダウンリンクサブフレームのセットであることを含む。
【００３０】
本発明の第３の態様の第１の実装に関して、本発明の第３の態様の第２の実装において、ＵＥによる、ダウンリンク割当てインデックスＤＡＩ累積インジケーションにより第１のコードブックを決定することは、
ＵＥによる、ＤＡＩ累積インジケーションおよびＤＡＩ合計量インジケーションにより第１のコードブックを決定することであって、ＤＡＩ合計量インジケーションは、リアルタイムでスケジュールされたダウンリンクサブフレームサブセットにおけるダウンリンクサブフレームの量を示すのに使用されることを含む。
【００３１】
本発明の第３の態様の実装のいずれかに関して、本発明の第３の態様の第３の実装において、ＵＥによる、ＤＡＩ累積インジケーションにより第１のコードブックを決定することは、
ＵＥによる、ＰＵＣＣＨリソースインジケーション情報の第１のステータス、およびＤＡＩ累積インジケーションにより第１のコードブックを決定することを含む。
【００３２】
本発明の第３の態様の第１の実装に関して、本発明の第３の態様の第４の実装において、ＵＥによる、ＰＵＣＣＨリソースインジケーション情報によりＰＵＣＣＨリソースを決定することは、
ＵＥによる、アップリンクサブフレームにおける事前設定されたＰＵＣＣＨリソースセットを決定すること、および
ＵＥによる、第１のコードブックのビット量、およびＰＵＣＣＨリソースインジケーション情報によりリソースセットにおけるＰＵＣＣＨリソースを決定することを含む。
【００３３】
本発明の第３の態様の第４の実装に関して、本発明の第３の態様の第５の実装において、ＵＥによる、第１のコードブックのビット量、およびＰＵＣＣＨリソースインジケーション情報によりリソースセットにおけるＰＵＣＣＨリソースを決定することは、
第１のコードブックのビット量が事前設定された閾値以上である場合、ＵＥによる、第１のコードブックのビット量、巡回冗長検査ＣＲＣのビット量、およびＰＵＣＣＨリソースインジケーション情報によりリソースセットにおけるＰＵＣＣＨリソースを決定すること、および／または
第１のコードブックのビット量が事前設定された閾値未満である場合、ＵＥによる、第１のコードブックのビット量、およびＰＵＣＣＨリソースインジケーション情報によりリソースセットにおけるＰＵＣＣＨリソースを決定することを含む。
【００３４】
本発明の第３の態様の第５の実装に関して、本発明の第３の態様の第６の実装において、ＵＥによる、第１のコードブックのビット量、ＣＲＣのビット量、およびＰＵＣＣＨリソースインジケーション情報によりリソースセットにおけるＰＵＣＣＨリソースを決定することは、
ＵＥによる、第１のコードブックのビット量、およびＣＲＣのビット量によりビット容量間隔を決定すること、および
ＵＥによる、ビット容量間隔およびＰＵＣＣＨリソースインジケーション情報によりリソースセットにおけるＰＵＣＣＨリソースを決定することを含む。
【００３５】
本発明の第３の態様の第５の実装に関して、本発明の第３の態様の第７の実装において、ＵＥによる、第１のコードブックのビット量、およびＰＵＣＣＨリソースインジケーション情報によりリソースセットにおけるＰＵＣＣＨリソースを決定することは、
ＵＥによる、第１のコードブックのビット量によりビット容量間隔を決定すること、および
ＵＥによる、ビット容量間隔およびＰＵＣＣＨリソースインジケーション情報によりリソースセットにおけるＰＵＣＣＨリソースを決定することを含む。
【００３６】
本発明の第３の態様に関して、本発明の第３の態様の第８の実装において、フィードバック情報のコードブックは、第２のコードブックであり、ＵＥによる、フィードバック情報のコードブックを決定することは、
ＵＥによる、事前設定されたダウンリンクサブフレームサブセットを決定することであって、事前設定されたダウンリンクサブフレームサブセットは、事前設定されたダウンリンクサブフレームセットに属すること、および
ＵＥによる、事前設定されたダウンリンクサブフレームサブセットにより第２のコードブックを決定することを含む。
【００３７】
本発明の第３の態様の第８の実装に関して、本発明の第３の態様の第９の実装において、
ＵＥによる、事前設定されたダウンリンクサブフレームサブセットにより第２のコードブックを決定することは、
ＵＥによる、ＰＵＣＣＨリソースインジケーション情報の第２のステータス、および事前設定されたダウンリンクサブフレームサブセットにより第２のコードブックを決定することを含む。
【００３８】
本発明の第３の態様の第８の実装に関して、本発明の第３の態様の第１０の実装において、ＵＥによる、ＰＵＣＣＨリソースインジケーション情報によりＰＵＣＣＨリソースを決定することは、
ＵＥによる、ＰＵＣＣＨリソースインジケーション情報および事前設定されたダウンリンクサブフレームサブセットによりＰＵＣＣＨリソースを決定することを含む。
【００３９】
本発明の第３の態様の第８の実装に関して、本発明の第３の態様の第１１の実装において、ＵＥによる、ＰＵＣＣＨリソースインジケーション情報によりＰＵＣＣＨリソースを決定することは、
ＵＥによる、ＰＵＣＣＨリソースインジケーション情報およびＤＡＩ合計量インジケーションによりＰＵＣＣＨリソースを決定することを含む。
【００４０】
本発明の第４の態様が、
基地局による、ダウンリンク制御チャネルを使用することによってユーザ機器ＵＥにスケジューリング情報を送信すること、およびダウンリンクデータチャネルを使用することによってダウンリンクデータを送信することであって、ダウンリンク制御チャネルは、事前設定されたダウンリンクサブフレームセットに属し、かつスケジューリング情報は、ダウンリンクデータをスケジュールするのに使用されること、
基地局による、アップリンクサブフレームを決定することであって、アップリンクサブフレームは、ＵＥによって、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであること、
基地局による、ＰＵＣＣＨリソースを決定すること、
基地局による、アップリンクサブフレームにおけるＰＵＣＣＨリソース上で、ＵＥによって送信された符号化されたフィードバック情報を受信すること、および
基地局による、受信された符号化されたフィードバック情報を復号して、フィードバック情報のコードブックを獲得することを含むフィードバック情報受信方法を提供する。
【００４１】
本発明の第４の態様に関して、本発明の第４の態様の第１の実装において、スケジューリング情報は、ダウンリンク割当てインデックスＤＡＩ累積インジケーションを含み、ＤＡＩ累積インジケーションは、第１のコードブックを決定するようＵＥに命令するのに使用され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットに入っているダウンリンクサブフレームのセットである。
【００４２】
本発明の第４の態様の第１の実装に関して、本発明の第４の態様の第２の実装において、スケジューリング情報は、ＤＡＩ合計量インジケーションをさらに含み、かつＤＡＩ合計量インジケーションは、リアルタイムでスケジュールされたダウンリンクサブフレームサブセットにおけるダウンリンクサブフレームの量を示すのに使用される。
【００４３】
本発明の第４の態様の第１の実装、または本発明の第４の態様の第２の実装に関して、本発明の第４の態様の第３の実装において、スケジューリング情報は、ＰＵＣＣＨリソースインジケーション情報を含み、ＰＵＣＣＨリソースインジケーション情報は、ＰＵＣＣＨリソースインジケーション情報の第１のステータスであり、かつＰＵＣＣＨリソースインジケーション情報の第１のステータスは、第１のコードブックを決定するようＵＥに命令するのに使用される。
【００４４】
本発明の第４の態様の第２の実装、または本発明の第４の態様の第３の実装に関して、本発明の第４の態様の第４の実装において、スケジューリング情報は、ＰＵＣＣＨリソースインジケーション情報を含み、かつＰＵＣＣＨリソースインジケーション情報、および第１のコードブックのビット量は、ＰＵＣＣＨリソースを示すのに使用される。
【００４５】
本発明の第４の態様に関して、本発明の第４の態様の第５の実装において、方法は、
基地局による、事前設定されたダウンリンクサブフレームサブセットを決定することであって、事前設定されたダウンリンクサブフレームサブセットは、事前設定されたダウンリンクサブフレームセットに属し、スケジューリング情報は、事前設定されたダウンリンクサブフレームサブセットに属し、かつ事前設定されたダウンリンクサブフレームサブセットは、ＵＥによって第２のコードブックを決定するのに使用されることをさらに含む。
【００４６】
本発明の第４の態様の第５の実装に関して、本発明の第４の態様の第６の実装において、スケジューリング情報は、ＰＵＣＣＨリソースインジケーション情報を含み、ＰＵＣＣＨリソースインジケーション情報は、ＰＵＣＣＨリソースインジケーション情報の第２のステータスであり、かつＰＵＣＣＨリソースインジケーション情報の第２のステータスは、第２のコードブックを決定するようＵＥに命令するのに使用される。
【００４７】
本発明の第４の態様の第５の実装に関して、本発明の第４の態様の第７の実装において、スケジューリング情報は、ＰＵＣＣＨリソースインジケーション情報を含み、かつＰＵＣＣＨリソースインジケーション情報および事前設定されたダウンリンクサブフレームサブセットは、ＰＵＣＣＨリソースを決定するようＵＥに命令するのに使用される。
【００４８】
本発明の第４の態様の第５の実装に関して、本発明の第４の態様の第８の実装において、スケジューリング情報は、ＰＵＣＣＨリソースインジケーション情報と、ＤＡＩ合計量インジケーションとを含み、かつＤＡＩ合計量インジケーションは、ＰＵＣＣＨリソースを決定するようＵＥに命令するのに使用される。
【００４９】
ＵＥは、ダウンリンク制御チャネルを使用することによって基地局によって送信されたスケジューリング情報を受信し、ダウンリンク制御チャネルは、事前設定されたダウンリンクサブフレームセットに属し、ダウンリンクデータチャネル上にあり、かつスケジューリング情報によりスケジュールされたダウンリンクデータを受信し、ダウンリンクデータによりアップリンクサブフレームを決定し、アップリンクサブフレームは、フィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットであり、フィードバック情報のコードブックを決定し、フィードバック情報のコードブックによりフィードバック情報に対してチャネル符号化を実行し、ＰＵＣＣＨリソースインジケーション情報によりＰＵＣＣＨリソースを決定し、およびアップリンクサブフレームにおけるＰＵＣＣＨリソース上で、符号化されたフィードバック情報を送信する。ＵＥは、ＡＣＫ／ＮＡＣＫコードブックを決定し、およびＡＣＫ／ＮＡＣＫのビット量により、フィードバック情報を伝送するビット量に適切なＰＵＣＣＨリソースを選択することができる。フィードバック情報のすべて、またはほとんどは、ＡＣＫであり、それによって、比較的低いＰＵＣＣＨリソース利用度を回避する。
【図面の簡単な説明】
【００５０】
【図１】本発明の実施形態によるＵＥの概略構造図である。
【図２】本発明の実施形態による基地局の概略構造図である。
【図３】本発明の実施形態によるフィードバック情報送信方法の概略流れ図である。
【図４】本発明の実施形態によるフィードバック情報送信方法の別の概略流れ図である。
【図５】本発明の実施形態によるフィードバック情報受信方法の別の概略流れ図である。
【図６】本発明の実施形態によるＵＥの別の概略構造図である。
【図７】本発明の実施形態による基地局の別の概略構造図である。
【発明を実施するための形態】
【００５１】
以下は、本発明の実施形態における添付の図面を参照して、本発明の実施形態における技術的解決策について明瞭に、かつ完全に説明する。明らかに、説明される実施形態は、本発明の実施形態のいくつかに過ぎず、すべてではない。独創的な取組みなしに本発明の実施形態に基づいて当業者によって獲得される他のすべての実施形態は、本発明の保護範囲に入るものとする。
【００５２】
以下は、フィードバック情報送信方法を実施するためのＵＥについて説明する。図１を参照すると、本発明の実施形態におけるＵＥの実施形態が、受信モジュール１０１と、処理モジュール１０２と、送信モジュール１０３とを含む。
【００５３】
受信モジュール１０１は、ダウンリンク制御チャネルを使用することによって基地局によって送信されるスケジューリング情報を受信するように構成され、ダウンリンク制御チャネルは、事前設定されたダウンリンクサブフレームセットに属する。
【００５４】
受信モジュール１０１は、ダウンリンクデータチャネル上にあり、かつスケジューリング情報によりスケジュールされたダウンリンクデータを受信するようにさらに構成される。
【００５５】
処理モジュール１０２は、アップリンクサブフレームを決定するように構成され、アップリンクサブフレームは、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットである。
【００５６】
処理モジュール１０２は、フィードバック情報のコードブックを決定するようにさらに構成される。
【００５７】
処理モジュール１０２は、フィードバック情報のコードブックによりフィードバック情報に対してチャネル符号化を実行するようにさらに構成される。
【００５８】
処理モジュール１０２は、物理アップリンク制御チャネルＰＵＣＣＨリソースインジケーション情報によりＰＵＣＣＨリソースを決定するようにさらに構成される。
【００５９】
送信モジュール１０３は、アップリンクサブフレームにおけるＰＵＣＣＨリソース上で、符号化されたフィードバック情報を送信するように構成される。
【００６０】
この実施形態において、受信モジュール１０１は、ダウンリンク制御チャネルを使用することによって基地局によって送信されるスケジューリング情報を受信することができ、ダウンリンク制御チャネルは、事前設定されたダウンリンクサブフレームセットに属し、かつダウンリンクデータチャネル上にあり、かつスケジューリング情報によりスケジュールされたダウンリンクデータをさらに受信することができる。処理モジュール１０２は、ダウンリンクデータによりアップリンクサブフレームを決定し、アップリンクサブフレームは、フィードバック情報を送信するのに使用され、事前設定されたダウンリンクサブフレームセットは、アップリンクサブフレームに関連付けられ、かつ基地局によってＵＥのために構成されたすべてのキャリアのものであるダウンリンクサブフレームのセットである。処理モジュール１０２は、フィードバック情報のコードブックを決定し、フィードバック情報のコードブックによりフィードバック情報に対してチャネル符号化を実行し、物理アップリンク制御チャネルＰＵＣＣＨリソースインジケーション情報によりＰＵＣＣＨリソースを決定する。送信モジュール１０３は、アップリンクサブフレームにおけるＰＵＣＣＨリソース上で、符号化されたフィードバック情報を送信する。処理モジュール１０２は、ＡＣＫ／ＮＡＣＫコードブックを決定すること、およびＡＣＫ／ＮＡＣＫのビット量により、フィードバック情報を伝送するビット量に適切なＰＵＣＣＨリソースを選択することができる。フィードバック情報のすべて、またはほとんどは、ＡＣＫであり、それによって、比較的低いＰＵＣＣＨリソース利用率を回避する。
【００６１】
任意選択で、本発明のいくつかの実施形態において、処理モジュール１０２は、
ダウンリンク割当てインデックス（Ｄｏｗｎｌｉｎｋ  Ａｓｓｉｇｎｍｅｎｔ  Ｉｎｄｅｘ、ＤＡＩ）累積インジケーションにより第１のコードブックを決定するように特に構成され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットにあるダウンリンクサブフレームのセットである。
【００６２】
任意選択で、本発明のいくつかの実施形態において、処理モジュール１０２は、
ＤＡＩ累積インジケーションおよびＤＡＩ合計量インジケーションにより第１のコードブックを決定するように特に構成され、ＤＡＩ合計量インジケーションは、リアルタイムでスケジュールされたダウンリンクサブフレームサブセットにおけるダウンリンクサブフレームの量を示すのに使用される。
【００６３】
任意選択で、本発明のいくつかの実施形態において、処理モジュール１０２は、
ＰＵＣＣＨリソースインジケーション情報の第１のステータス、およびＤＡＩ累積インジケーションにより第１のコードブックを決定するように特に構成される。
【００６４】
任意選択で、本発明のいくつかの実施形態において、処理モジュール１０２は、
アップリンクサブフレームにおける事前設定されたＰＵＣＣＨリソースセットを決定し、および
第１のコードブックのビット量、およびＰＵＣＣＨリソースインジケーション情報によりリソースセットにおけるＰＵＣＣＨリソースを決定するように特に構成される。
【００６５】
任意選択で、本発明のいくつかの実施形態において、処理モジュール１０２は、
第１のコードブックのビット量が事前設定された閾値以上である場合、第１のコードブックのビット量、巡回冗長検査ＣＲＣのビット量、およびＰＵＣＣＨリソースインジケーション情報によりリソースセットにおけるＰＵＣＣＨリソースを決定し、および／または
第１のコードブックのビット量が事前設定された閾値未満である場合、第１のコードブックのビット量、およびＰＵＣＣＨリソースインジケーション情報によりリソースセットにおけるＰＵＣＣＨリソースを決定するように特に構成される。
【００６６】
任意選択で、本発明のいくつかの実施形態において、処理モジュール１０２は、
第１のコードブックのビット量、およびＣＲＣのビット量によりビット容量間隔を決定し、および
ビット容量間隔およびＰＵＣＣＨリソースインジケーション情報によりリソースセットにおけるＰＵＣＣＨリソースを決定するように特に構成される。
【００６７】
任意選択で、本発明のいくつかの実施形態において、処理モジュール１０２は、
第１のコードブックのビット量によりビット容量間隔を決定し、および
ビット容量間隔およびＰＵＣＣＨリソースインジケーション情報によりリソースセットにおけるＰＵＣＣＨリソースを決定するように特に構成される。
【００６８】
任意選択で、本発明のいくつかの実施形態において、フィードバック情報のコードブックは、第２のコードブックであり、かつ処理モジュール１０２は、
事前設定されたダウンリンクサブフレームサブセットを決定し、事前設定されたダウンリンクサブフレームサブセットは、事前設定されたダウンリンクサブフレームセットに属し、および
事前設定されたダウンリンクサブフレームサブセットにより第２のコードブックを決定するように特に構成される。
【００６９】
任意選択で、本発明のいくつかの実施形態において、処理モジュール１０２は、
ＰＵＣＣＨリソースインジケーション情報の第２のステータス、および事前設定されたダウンリンクサブフレームサブセットにより第２のコードブックを決定するように特に構成される。
【００７０】
任意選択で、本発明のいくつかの実施形態において、処理モジュール１０２は、
ＰＵＣＣＨリソースインジケーション情報および事前設定されたダウンリンクサブフレームサブセットによりＰＵＣＣＨリソースを決定するように特に構成される。
【００７１】
任意選択で、本発明のいくつかの実施形態において、処理モジュール１０２は、
ＰＵＣＣＨリソースインジケーション情報およびＤＡＩ合計量インジケーションによりＰＵＣＣＨリソースを決定するように特に構成される。
【００７２】
実際の適用中、受信モジュール１０１の機能は、受信装置によって実施されてよく、処理モジュール１０２の機能は、プロセッサによって実施されてよく、送信モジュール１０３の機能は、送信装置によって実施されてよいことに留意されたい。
【００７３】
以下は、本発明の実施形態におけるフィードバック情報受信方法を実施するための基地局について説明する。図２を参照すると、本発明の実施形態における基地局の実施形態が、送信モジュール２０１と、処理モジュール２０２と、受信モジュール２０３とを含む。
【００７４】
送信モジュール２０１は、ダウンリンク制御チャネルを使用することによってユーザ機器ＵＥにスケジューリング情報を送信し、およびダウンリンクデータチャネルを使用することによってダウンリンクデータを送信するように構成され、ダウンリンク制御チャネルは、事前設定されたダウンリンクサブフレームセットに属し、かつスケジューリング情報は、ダウンリンクデータをスケジュールするのに使用される。
【００７５】
処理モジュール２０２は、アップリンクサブフレームを決定するように構成され、アップリンクサブフレームは、ＵＥによって、ダウンリンクデータに対応するフィードバック情報を送信するのに使用され、かつ事前設定されたダウンリンクサブフレームセットは、アップリンクサブフレームに関連付けられ、かつ基地局によってＵＥのために構成されたすべてのキャリアのものであるダウンリンクサブフレームのセットである。
【００７６】
処理モジュール２０２は、ＰＵＣＣＨリソースを決定するようにさらに構成される。
【００７７】
受信モジュール２０３は、アップリンクサブフレームにおけるＰＵＣＣＨリソース上で、ＵＥによって送信された符号化されたフィードバック情報を受信するように構成される。
【００７８】
処理モジュール２０２は、受信された符号化されたフィードバック情報を復号して、フィードバック情報のコードブックを獲得するようにさらに構成される。
【００７９】
任意選択で、本発明のいくつかの実施形態において、スケジューリング情報は、ダウンリンク割当てインデックスＤＡＩ累積インジケーションを含み、ＤＡＩ累積インジケーションは、第１のコードブックを決定するようＵＥに命令するのに使用され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットにあるダウンリンクサブフレームのセットである。
【００８０】
任意選択で、本発明のいくつかの実施形態において、スケジューリング情報は、ＤＡＩ合計量インジケーションをさらに含んでよく、かつＤＡＩ合計量インジケーションは、リアルタイムでスケジュールされたダウンリンクサブフレームサブセットにおけるダウンリンクサブフレームの量を示すのに使用される。
【００８１】
任意選択で、本発明のいくつかの実施形態において、スケジューリング情報は、ＰＵＣＣＨリソースインジケーション情報を含み、ＰＵＣＣＨリソースインジケーション情報は、ＰＵＣＣＨリソースインジケーション情報の第１のステータスであり、かつＰＵＣＣＨリソースインジケーション情報の第１のステータスは、第１のコードブックを決定するようＵＥに命令するのに使用される。
【００８２】
任意選択で、本発明のいくつかの実施形態において、スケジューリング情報は、ＰＵＣＣＨリソースインジケーション情報を含み、かつＰＵＣＣＨリソースインジケーション情報、および第１のコードブックのビット量は、ＰＵＣＣＨリソースを示すのに使用される。
【００８３】
任意選択で、本発明のいくつかの実施形態において、処理モジュール２０２は、
事前設定されたダウンリンクサブフレームサブセットを決定するように特に構成され、事前設定されたダウンリンクサブフレームサブセットは、事前されたダウンリンクサブフレームセットに属し、スケジューリング情報は、事前設定されたダウンリンクサブフレームサブセットに属し、かつ事前設定されたダウンリンクサブフレームサブセットは、ＵＥによって第２のコードブックを決定するのに使用される。
【００８４】
任意選択で、本発明のいくつかの実施形態において、スケジューリング情報は、ＰＵＣＣＨリソースインジケーション情報を含み、ＰＵＣＣＨリソースインジケーション情報は、ＰＵＣＣＨリソースインジケーション情報の第２のステータスであり、かつＰＵＣＣＨリソースインジケーション情報の第２のステータスは、第２のコードブックを決定するようＵＥに命令するのに使用される。
【００８５】
任意選択で、本発明のいくつかの実施形態において、スケジューリング情報は、ＰＵＣＣＨリソースインジケーション情報を含み、かつＰＵＣＣＨリソースインジケーション情報および事前設定されたダウンリンクサブフレームサブセットは、ＰＵＣＣＨリソースを決定するようＵＥに命令するのに使用される。
【００８６】
任意選択で、本発明のいくつかの実施形態において、スケジューリング情報は、ＰＵＣＣＨリソースインジケーション情報と、ＤＡＩ合計量インジケーションとを含み、かつＤＡＩ合計量インジケーションは、ＰＵＣＣＨリソースを決定するようＵＥに命令するのに使用される。
【００８７】
実際の適用中、処理モジュール２０２の機能は、プロセッサによって実施されてよく、受信モジュール２０３の機能は、受信装置によって実施されてよく、送信モジュール２０１の機能は、送信装置によって実施されてよいことに留意されたい。
【００８８】
以下は、従来技術におけるフィードバック情報送信方法について簡単に説明する。基地局が、ＵＥのために合計でＭのキャリアを構成し、かつ基地局が、Ｍのキャリアの事前設定されたダウンリンクサブフレームセットにおいてスケジューリングを１回、実行したとき、事前設定されたダウンリンクサブフレームセットにおいて合計でＮのダウンリンクサブフレームが存在する。基地局が、ＭのキャリアのＮのダウンリンクサブフレームにおいてスケジューリング情報およびダウンリンクデータを送信すると、ＵＥは、ダウンリンクデータに対応するアップリンクサブフレームを決定して、ダウンリンクデータに対応するＡＣＫ／ＮＡＣＫを送信するようにしてよい。
【００８９】
ＦＤＤにおいて、サブフレームｎ−４においてＰＤＳＣＨを受信した後、ＵＥは、サブフレームｎにおいてＡＣＫ／ＮＡＣＫをフィードバックする。
【００９０】
ＴＤＤにおいて、ＰＤＳＣＨとＡＣＫ／ＮＡＣＫの間の対応関係に関して、表１を参照されたい。ＵＥが、サブフレーム番号がｎ−ｋであるダウンリンクサブフレームセットにおけるＵＥによって受信されたダウンリンクデータを正しく復号し、kはＫに属する場合、ＵＥは、アップリンクサブフレームｎにおいてＡＣＫ／ＮＡＣＫをフィードバックする。例えば、アップリンクおよびダウンリンク構成が１であり、かつダウンリンクサブフレームセットＫ＝｛７，６｝である。ＵＥが２つのダウンリンクサブフレーム（ｎ−７）および（ｎ−６）においてダウンリンクデータを正しく復号した場合、ＵＥは、アップリンクサブフレーム２においてＡＣＫ／ＮＡＣＫをフィードバックする。特に、ｎ−７は、ダウンリンクサブフレーム５であり、ｎ−６は、ダウンリンクサブフレーム６である。
【００９１】
ＵＥは、Ｍのキャリア上のＮのダウンリンクサブフレームによりＡＣＫ／ＮＡＣＫコードブックを生成し、コードブックのビット量は、Ｎであり、およびＡＣＫ／ＮＡＣＫコードブックによりＡＣＫ／ＮＡＣＫに対してチャネル符号化を実行する。ＵＥは、スケジューリング情報におけるＰＵＣＣＨリソースインジケーション情報によりアップリンクサブフレームにおけるＰＵＣＣＨリソースを決定し、ＰＵＣＣＨリソース上で符号化されたフィードバック情報を送信する。
【００９２】
ＴＤＤシステムにおいて、キャリアは、ダウンリンクサブフレームと、アップリンクサブフレームと、特別なサブフレームとを含み得ることに留意されたい。ダウンリンクデータは、特別なサブフレームのダウンリンクサブフレーム部分ＤｗＰＴＳにおいて伝送されてよく、アップリンクデータは、特別なサブフレームのアップリンクサブフレーム部分ＵｐＰＴＳにおいて伝送されることができない。したがって、特別なサブフレームは、ダウンリンクサブフレームと見なされ得る。
【００９３】
【表１】
2018525928.tif 000003
【００９４】
しかし、スケジューリング情報に対応するダウンリンクサブフレームの量がＰＵＣＣＨフォーマット３の容量を超え、かつＰＵＣＣＨフォーマット３がＰＦ３である場合、基地局は、ＵＥがＡＣＫ／ＮＡＣＫを送信する新たなフォーマットのＰＵＣＣＨリソースを構成する。新たなフォーマットは、複数のリソースブロック（Ｒｅｓｏｕｒｃｅ  Ｂｌｏｃｋ、ＲＢ）を搬送することができるＰＦ３フォーマットであり、または１つのＲＢを占有し得るが、容量は、現在のＰＦ３の符号分割多重化能力を落とすことによって拡大される。従来技術において、ＡＣＫ／ＮＡＣＫ情報は、最大の量のＲＢを搬送することができるＰＵＣＣＨリソースを使用することによってフィードバックされて、すべてのサービスがサポートされることを確実にする。サービスによってスケジュールされたダウンリンクデータが、ＵＥのために構成されたＭのキャリアのＮのダウンリンクサブフレームの比較的小さい部分しか占有しない場合、スケジューリングが存在しないため、ＭのキャリアのＮのダウンリンクサブフレームによりＵＥによって生成されるＡＣＫ／ＮＡＣＫコードブックに比較的大きい量のＮＡＣＫが記入される。その結果、ＰＵＣＣＨリソース利用度が低い。
【００９５】
フィードバック情報における冗長な情報を低減するのに、本発明において、複数の様態がフィードバック情報のコードブックを決定するのに使用され得る。詳細に関して、以下の実施形態を参照されたい。
【００９６】
１．フィードバック情報のコードブックが、ＤＡＩ累積インジケーションにより決定される。図３を参照すると、本発明の実施形態におけるフィードバック情報送信方法の実施形態が、以下のステップを含む。
【００９７】
３０１．ＵＥが、ダウンリンク制御チャネルを使用することによって基地局によって送信されるスケジューリング情報を受信する。
【００９８】
この実施形態において、基地局が、無線リソース制御（Ｒａｄｉｏ  Ｒｅｓｏｕｒｃｅ  Ｃｏｎｔｒｏｌ、ＲＲＣ）シグナリングを使用することによってＵＥのために複数のキャリアを構成し、かつダウンリンク制御チャネルを使用することによって、複数のキャリアに対応する事前設定されたダウンリンクサブフレームセットにおいてスケジューリング情報を送信し、ＵＥが、スケジューリング情報を受信し得る。事前設定されたダウンリンクサブフレームセットは、それを使用することによってＡＣＫ／ＮＡＣＫが送信されるアップリンクサブフレームに対応し、アップリンクサブフレームに関連付けられ、かつ複数のキャリアのものであるすべてのダウンリンクサブフレームを含む。ダウンリンク制御チャネルは、ＰＤＣＣＨまたはＥＰＤＣＣＨであってよい。キャリアタイプは、周波数分割複信（Ｆｒｅｑｕｅｎｃｙ  Ｄｕｐｌｅｘｉｎｇ  Ｄｉｖｉｓｉｏｎ、ＦＤＤ）または時分割複信（Ｔｉｍｅ  Ｄｕｐｌｅｘｉｎｇ  Ｄｉｖｉｓｉｏｎ、ＴＤＤ）であってよい。ＴＤＤは、アップリンク構成とダウンリンク構成が同一であるＴＤＤ  ＣＡを含んでよく、またはアップリンク構成とダウンリンク構成が異なるＴＤＤ  ＣＡを含んでよい。
【００９９】
３０２．ＵＥが、ダウンリンクデータチャネル上にあり、かつスケジューリング情報によりスケジュールされたダウンリンクデータを受信する。
【０１００】
ダウンリンクデータチャネルは、ＰＤＳＣＨである。スケジューリング情報を受信した後、ＵＥは、スケジューリング情報によりＰＤＳＣＨをスケジュールしてよく、かつＰＤＳＣＨ上でダウンリンクデータを受信してよい。一般に、ダウンリンク制御チャネルと、ダウンリンク制御チャネルによってスケジュールされたＰＤＳＣＨは、同一のサブフレームにある。ダウンリンクデータは、独立したダウンリンク制御チャネルによってスケジュールされてよく、集中化されたダウンリンク制御チャネルによってスケジュールされてよく、またはその組合せによってスケジュールされてよいことに留意されたい。このことは、本明細書において限定されない。
【０１０１】
３０３．ＵＥが、アップリンクサブフレームを決定する。
【０１０２】
ダウンリンクデータを受信した後、ＵＥは、ダウンリンクデータが配置されているダウンリンクサブフレーム、および表１に示される対応関係によりアップリンクサブフレームを決定してよい。アップリンクサブフレームは、ダウンリンクデータのフィードバック情報を送信するのに使用され、フィードバック情報は、ＡＣＫ／ＮＡＣＫを含む。このことは、本明細書において限定されない。
【０１０３】
３０４．ＵＥが、ＤＡＩ累積インジケーションにより第１のコードブックを決定する。
【０１０４】
この実施形態において、第１のコードブックは、第１のタイプのＡＣＫ／ＮＡＣＫコードブックであり、かつリアルタイムでスケジュールされたダウンリンクサブフレームサブセットに対応する。リアルタイムでスケジュールされたダウンリンクサブフレームサブセットは、現在、実際にスケジュールされており、かつ事前設定されたダウンリンクサブフレームセットにあるダウンリンクサブフレームのセットである。スケジューリング情報とダウンリンクデータは、リアルタイムでスケジュールされたダウンリンクサブフレームサブセットに別々に対応する。
【０１０５】
実際の適用中、ＵＥによる、ＤＡＩ累積インジケーションにより第１のコードブックを決定することは、以下の様態で特に実施されてよく、すなわち、ＵＥによる、ＤＡＩ累積インジケーションおよびＤＡＩ合計量インジケーションにより第１のコードブックを決定することであってよい。
【０１０６】
ＤＡＩ累積インジケーションおよびＤＡＩ合計量インジケーションは、スケジューリング情報に属する。ＤＡＩ累積インジケーションの値は、リアルタイムでスケジュールされたダウンリンクサブフレームサブセットにおけるサブフレームにわたるキャリアの優先のシーケンスにより累積的にカウントされる。ＤＡＩ合計量インジケーションは、リアルタイムでスケジュールされたダウンリンクサブフレームサブセットにおけるダウンリンクサブフレームの量を示すのに使用される。ＤＡＩ累積インジケーションとＤＡＩ合計量インジケーションは、スケジューリング情報における独立したフィールドであってよい。代替として、ＤＡＩ累積インジケーションは、スケジューリング情報にあってよい。しかし、ＤＡＩ合計量インジケーションは、ダウンリンクデータをスケジュールするのに使用される前述のスケジューリング情報とは独立であってよい。解決策において、ＤＡＩ合計量インジケーションは、独立した物理シグナリング、例えば、独立した制御情報であり、かつ制御情報は、ダウンリンクデータをスケジュールする機能を担わない。別の解決策において、ＤＡＩ合計量インジケーションは、ダウンリンクデータをスケジュールするのに使用される前述のスケジューリング情報の部分的スケジューリング情報の中に存在してよく、例えば、サブフレームに対応する複数のキャリアの複数のスケジューリング情報のうちの１つの中に存在してよい。代替として、ＤＡＩ合計量インジケーションは、第１のコードブックのビット量を示すのに使用され、コードブックの大きさまたはコードブックのサイズとして参照されてもよい。コードブックの大きさは、事前設定されたダウンリンクサブフレームセットに対応するＨＡＲＱ−ＡＣＫのビット量未満であるが、ダウンリンクサブフレームの量、またはリアルタイムでスケジュールされたダウンリンクサブフレームサブセットにおける伝送ブロックの量以上である。コードブックの大きさが、ダウンリンクサブフレームの量、またはリアルタイムでスケジュールされたダウンリンクサブフレームサブセットにおける伝送ブロックの量より大きい場合、ＵＥと基地局の両方が、少なくとも１つのＮＡＣＫがコードブックの終わりに記入されることを決定する。記入されるＮＡＣＫの特定の量は、コードブックの事前推定されたビット量から、ダウンリンクデータが実際にスケジュールされ、かつリアルタイムでスケジュールされたダウンリンクサブフレームサブセットにあるダウンリンクサブフレームまたは伝送ブロックの量を減じることによって獲得される。
【０１０７】
ＴＤＤキャリア上で、ダウンリンク制御チャネルがＰＤＣＣＨである場合、ＤＡＩ累積インジケーションは、ＤＬ＿ＤＡＩフィールドである。ＤＡＩ合計量は、新たに追加されるフィールドであってよく、または時分割多重化送信電力制御（Ｔｒａｎｓｍｉｔ  Ｐｏｗｅｒ  Ｃｏｎｔｒｏｌ、ＴＰＣ）フィールド、もしくは別の多重化フィールドであってよい。このことは、本明細書において限定されない。ダウンリンク制御チャネルがＥＰＤＣＣＨである場合、ＤＡＩ累積インジケーションは、ＤＬ＿ＤＡＩフィールドであり、かつＤＡＩ合計量インジケーションは、新たに追加されるフィールド、または多重化ＴＰＣフィールドのすべて、もしくは一部分であってよい。このことは、本明細書において限定されない。
【０１０８】
ＦＤＤキャリア上で、ダウンリンク制御チャネルがＰＤＣＣＨである場合、ＤＡＩ累積インジケーションまたはＤＡＩ合計量インジケーションは、ＰＤＣＣＨ上の新たに追加されるビットであってよく、または時分割多重化中にＰＵＣＣＨリソースを示すのに使用されるＴＰＣフィールド、または別の多重化フィールドであってよい。このことは、本明細書において限定されない。ダウンリンク制御チャネルがＥＰＤＣＣＨである場合、ＤＡＩ累積インジケーションまたはＤＡＩ合計量インジケーションは、ＰＤＣＣＨ上の新たに追加されるビットであってよく、または時分割多重化中にＰＵＣＣＨリソースを示すのに使用されるＴＰＣフィールド、または別の多重化フィールドであってよい。このことは、本明細書において限定されない。
【０１０９】
この実施形態において、ＵＥは、３つの様態でＤＡＩ合計量を決定してよい。第１の様態において、ＵＥは、リアルタイムでスケジュールされたダウンリンクサブフレームサブセットにおける各ダウンリンクサブフレームに対応するスケジュールされたキャリアの量により、各サブフレームのＤＡＩ合計量を決定する。ＤＡＩ合計量インジケーションが２ビットフィールドに記憶される場合、スケジュールされたキャリアの量に対してモジュロ演算が実行される必要があり、モジュラスは４である。
【０１１０】
第２の様態において、ＵＥは、ＤＡＩ累積インジケーションによりリアルタイムでスケジュールされたダウンリンクサブフレームサブセットにおける各サブフレームのＤＡＩ合計量インジケーションの値を決定する。第１のダウンリンクサブフレームのＤＡＩ合計量インジケーションの値は、第１のダウンリンクサブフレームに対応するスケジュールされたキャリアの量であり、第２のダウンリンクサブフレームのＤＡＩ合計量インジケーションの値は、第１のダウンリンクサブフレームに対応するスケジュールされたキャリアの量と第２のダウンリンクサブフレームに対応するスケジュールされたキャリアの量の合計であり、第３のダウンリンクサブフレームのＤＡＩ合計量インジケーションの値は、第１のダウンリンクサブフレームに対応するスケジュールされたキャリアの量と第２のダウンリンクサブフレームに対応するスケジュールされたキャリアの量と第３のダウンリンクサブフレームに対応するスケジュールされたキャリアの量の合計である。類推により、各ダウンリンクサブフレームに対応するＤＡＩ合計量インジケーションが獲得される。ＤＡＩ合計量インジケーションの値が２ビットフィールドに記憶される場合、スケジュールされたキャリアの量に対してモジュロ演算が実行される必要があり、モジュラスは４である。ＤＡＩ合計量インジケーションが記憶されるフィールドがｈである場合、モジュラスは２hであることが理解され得る。
【０１１１】
第３の様態において、ＤＡＩ合計量インジケーションは、リアルタイムでスケジュールされたダウンリンクサブフレームサブセットにおける終了サブフレームを示すのに使用され、またはリアルタイムでスケジュールされたダウンリンクサブフレームサブセットにおける同一のサブフレーム番号を有する複数のサブフレームの終了サブフレームを示すのに使用される。例えば、ＤＡＩ合計量インジケーションは、１ビットである。ＤＡＩ合計量インジケーションが終了サブフレームを示す場合、ビットのステータスは、「１」である。ＤＡＩ合計量インジケーションが終了サブフレームを示さない場合、ビットのステータスは、「０」である。例えば、ＤＡＩ合計量インジケーションは、２ビットである。ＤＡＩ合計量インジケーションが、最後の３つのサブフレームを示す場合、終わりから始めまでの対応するＤＡＩ合計量インジケーションのステータスは、それぞれ、１１、３０、および０１である。ＤＡＩ合計量インジケーションが、最後の３つのサブフレームを示さない場合、対応するＤＡＩ合計量インジケーションのステータスはすべて「００」である。別のビット量のＤＡＩ合計量インジケーションのステータスを決定する様態は、それと同様である。
【０１１２】
３０５．ＵＥが、第１のコードブックによりフィードバック情報に対してチャネル符号化を実行する。
【０１１３】
特に、符号化方法は、線形ブロック符号、畳み込み符号、またはターボ積符号であってよい。符号化方法が線形ブロック符号、例えば、リードミュラー（Ｒｅｅｄ  Ｍｕｌｌｅｒ、ＲＭ）符号である場合、一般に、符号化の前に巡回冗長検査（Ｃｙｃｌｉｃ  Ｒｅｄｕｎｄａｎｃｙ  Ｃｈｅｃｋ、ＣＲＣ）を追加する必要がない。符号化方法が畳み込み符号またはターボ積符号である場合、ＣＲＣは、符号化の前に追加されてよく、または追加されなくてよい。このことは、本明細書において限定されない。
【０１１４】
特に、本発明のいくつかの実施形態において、ＵＥによる、第１のコードブックによりフィードバック情報に対してチャネル符号化を実行することは、以下の様態で特に実施され得る。すなわち、第１のコードブックが事前設定されたコードブック値未満である場合、ＵＥは、ＲＭを使用することによって第１のコードブックに対してチャネル符号化を実行してよい。第１のコードブックが事前設定されたコードブック値以上である場合、ＵＥは、第１のコードブックの後にＣＲＣを追加してよく、次に、畳み込み符号またはターボ積符号を使用することによって、ＣＲＣが追加された第１のコードブックに対してチャネル符号化を実行してよい。事前設定されたコードブック値は、一般に、２３に設定されてよく、または別の値に設定されてよい。このことは、本明細書において限定されない。
【０１１５】
３０６．ＵＥが、ＰＵＣＣＨリソースインジケーション情報によりＰＵＣＣＨリソースを決定する。
【０１１６】
ＰＵＣＣＨリソースインジケーション情報は、ＰＵＣＣＨリソースと１対１の対応関係にある。基地局は、ＲＲＣシグナリングを使用することによってＵＥのためにＰＵＣＣＨリソースセットを構成してよく、ＵＥは、ＰＵＣＣＨリソースインジケーション情報によりＰＵＣＣＨリソースセットにおいて、ＡＣＫ／ＮＡＣＫを送信するのに使用されるＰＵＣＣＨリソースを決定してよい。ＰＵＣＣＨリソースセットにおけるＰＵＣＣＨリソースのＰＵＣＣＨフォーマットは、同一であってよく、または異なっていてよい。このことは、本明細書において限定されない。ＰＵＣＣＨリソースインジケーション情報は、スケジューリング情報に属し、スケジューリング情報における新たに追加されるビットまたはＴＰＣフィールドであってよい。ＵＥのために構成されたキャリアのタイプがＦＤＤである場合、ＰＵＣＣＨリソースインジケーション情報は、二次キャリアのダウンリンク制御チャネル上に配置され、一次キャリアのダウンリンク制御チャネル上に配置されることができない。ＵＥのために構成されたキャリアのタイプがＴＤＤである場合、ＰＵＣＣＨリソースインジケーション情報は、二次キャリアのダウンリンク制御チャネル上に、または一次キャリアにおけるＤＡＩ累積インジケーション値が１より大きいダウンリンク制御チャネル上に配置される。
【０１１７】
３０７．ＵＥが、アップリンクサブフレームにおけるＰＵＣＣＨリソース上で、符号化されたフィードバック情報を送信する。
【０１１８】
ＰＵＣＣＨリソースを決定した後、ＵＥは、ＰＵＣＣＨリソース上で符号化されたフィードバック情報を送信する。
【０１１９】
本発明のこの実施形態において、ＵＥは、ＤＡＩ累積インジケーションにより第１のコードブックを決定してよく、かつ第１のコードブックのビット量により、フィードバック情報を伝送するビット量に適切なＰＵＣＣＨリソースを選択してよい。フィードバック情報のすべて、またはほとんどは、ＡＣＫであり、フィードバック情報にあり、かつスケジュールされないＮＡＣＫは、従来技術におけるスケジュールされないＮＡＣＫよりはるかに少なく、それによって、低いＰＵＣＣＨリソース利用度を回避する。
【０１２０】
任意選択で、本発明のいくつかの実施形態において、ＵＥによる、ＰＵＣＣＨリソースインジケーション情報によりＰＵＣＣＨリソースを決定することは、以下の様態で特に実施されてよく、すなわち、ＵＥによる、アップリンクサブフレームにおいて事前設定されたＰＵＣＣＨリソースセットを決定すること、およびＵＥによる、第１のコードブックのビット量、およびＰＵＣＣＨリソースインジケーション情報によりリソースセットにおけるＰＵＣＣＨリソースを決定することであってよい。
【０１２１】
この実施形態において、基地局が、ＵＥのためにＰＵＣＣＨリソースセットを構成してよく、ＵＥが、ＰＵＣＣＨリソースインジケーション情報のステータスによりＰＵＣＣＨリソースセットにおけるＰＵＣＣＨリソースサブセットをまず決定してよく、次に、第１のコードブックのビット量によりＰＵＣＣＨリソースサブセットにおけるＰＵＣＣＨリソースを決定してよい。代替として、ＵＥは、第１のコードブックのビット量によりＰＵＣＣＨリソースセットにおけるＰＵＣＣＨリソースサブセットをまず決定してよく、次に、ＰＵＣＣＨリソースインジケーション情報のステータスによりＰＵＣＣＨリソースを決定してよい。ＰＵＣＣＨリソースセットは、複数の異なるＰＵＣＣＨフォーマットのＰＵＣＣＨリソースを含み得る。
【０１２２】
任意選択で、本発明のいくつかの実施形態において、ＵＥによる、第１のコードブックのビット量、およびＰＵＣＣＨリソースインジケーション情報によりリソースセットにおけるＰＵＣＣＨリソースを決定することは、以下の様態で特に実施されてよく、すなわち、第１のコードブックのビット量が事前設定された閾値以上である場合、ＵＥによる、第１のコードブックのビット量、ＣＲＣのビット量、およびＰＵＣＣＨリソースインジケーション情報によりリソースセットにおけるＰＵＣＣＨリソースを決定することであってよく、または第１のコードブックのビット量が事前設定された閾値未満である場合、ＵＥによる、第１のコードブックのビット量、およびＰＵＣＣＨリソースインジケーション情報によりリソースセットにおけるＰＵＣＣＨリソースを決定することであってよい。
【０１２３】
特に、事前設定された閾値は、ＰＵＣＣＨフォーマットに収容されることができ、かつ一般に２３に設定されるビットにより決定されてよい。第１のコードブックのビット量が２３以上である場合、ＵＥによって生成されるフィードバック情報は、第１のコードブックと、ＣＲＣとを含む。ＵＥは、第１のコードブックのビット量、およびＣＲＣのビット量によりリソースセットにおけるＰＵＣＣＨリソースサブセットを決定してよく、次に、ＰＵＣＣＨリソースインジケーション情報によりＰＵＣＣＨリソースサブセットにおいて、フィードバック情報を送信するのに使用されるＰＵＣＣＨリソースを決定してよく、またはＰＵＣＣＨリソースインジケーション情報によりＰＵＣＣＨリソースセットにおけるＰＵＣＣＨリソースサブセットを決定してよく、次に、第１のコードブックのビット量、およびＣＲＣのビット量によりＰＵＣＣＨリソースサブセットにおけるＰＵＣＣＨリソースを決定してよい。ＰＵＣＣＨリソースのＰＵＣＣＨフォーマットに収容されることができるビットの量は、２２、４４、または６４であってよく、または別の値であってよい。このことは、本明細書において限定されない。
【０１２４】
第１のコードブックのビット量が事前設定された閾値未満である場合、ＵＥによって生成されるフィードバック情報は、ＣＲＣを含まず、したがって、ＵＥは、第１のコードブックのビット量、およびＰＵＣＣＨリソースインジケーション情報によりリソースセットにおけるＰＵＣＣＨリソースを決定する。
【０１２５】
任意選択で、本発明のいくつかの実施形態において、ＵＥによる、第１のコードブックのビット量、およびＰＵＣＣＨリソースインジケーション情報によりリソースセットにおけるＰＵＣＣＨリソースを決定することは、以下の様態で特に実施されてよく、すなわち、ＵＥによる、第１のコードブックのビット量によりビット容量間隔を決定すること、およびＵＥによる、ビット容量間隔およびＰＵＣＣＨリソースインジケーション情報によりリソースセットにおけるＰＵＣＣＨリソースを決定することであってよい。
【０１２６】
ＰＵＣＣＨリソースのＰＵＣＣＨフォーマットは、ビット容量間隔に対応し、かつＰＵＣＣＨリソースのＰＵＣＣＨフォーマットは、少なくとも１つのＲＢを含む。ビット容量間隔は、事前定義されてよく、または基地局によって、ＲＲＣシグナリングを使用することによってＵＥのために構成されてよい。
【０１２７】
例えば、基地局は、ＵＥのためにＰＵＣＣＨリソースセットおよびビット容量間隔を構成する。ＰＵＣＣＨリソースセットは、複数のＰＵＣＣＨリソースを含む。２３から４４までのビット容量の間隔に対応するＰＵＣＣＨリソースフォーマットが、２つのＲＢを有するＰＦ３であり、４５から６４までの間隔に対応するＰＵＣＣＨリソースフォーマットが、３つのＲＢを有するＰＦ３であり、６５から１２８までの間隔に対応するＰＵＣＣＨリソースフォーマットが、新たなＰＵＳＣＨベースのフォーマットである。
【０１２８】
前述の実施形態は、チャネル状態情報（Ｃｈａｎｎｅｌ  Ｓｔａｔｅ  Ｉｎｆｏｒｍａｔｉｏｎ、ＣＳＩ）にさらに拡張されてよい。一般に、ＵＥによってフィードバックされる必要があるＣＳＩの周期、および特定のアップリンクサブフレームは、基地局によって事前設定される。したがって、それを使用することによってＡＣＫ／ＮＡＣＫがフィードバックされる前述のアップリンクサブフレームに関して、ときとして、ＣＳＩがアップリンクサブフレームにおいてフィードバックされる必要もある。すなわち、現在のアップリンクサブフレームにおいてＣＳＩフィードバック構成が存在しない場合、ＵＥは、前述の実施形態において説明されるとおり、アップリンクサブフレームにおいてＡＣＫ／ＮＡＣＫをフィードバックする。現在のアップリンクサブフレームにおいてＣＳＩフィードバック構成が存在する場合、ＵＥは、アップリンクサブフレームにおいてＡＣＫ／ＮＡＣＫとＣＳＩを一緒にフィードバックする必要がある。アップリンクサブフレームにおいてＡＣＫ／ＮＡＣＫおよびＣＳＩがフィードバックされる場合、ＰＵＣＣＨリソースを決定するための前述の方法は、ＡＣＫ／ＮＡＣＫとＣＳＩが一緒にフィードバックされる事例にさらに拡張され得る。一般に、ＣＳＩのビット量は、例えば、基地局の構成により事前設定され、ＵＥは、ＰＵＣＣＨリソースインジケーション情報、前述のＡＣＫ／ＮＡＣＫコードブックのビット量、およびＣＳＩのビット量によりＰＵＣＣＨリソースを決定してよい。特定の方法が前述され、詳細が本明細書において再び説明されることはない。
【０１２９】
理解の容易のため、以下は、特定の適用シナリオを使用することによって、図１に示される実施形態におけるフィードバック情報送信方法について詳細に説明する。
【０１３０】
基地局が、ＵＥのために１０のキャリアを構成し、基地局は、キャリア１からキャリア７のサブフレーム４、キャリア１、キャリア３、およびキャリア５のサブフレーム５、キャリア１からキャリア６のサブフレーム６、ならびにキャリア１からキャリア５のサブフレーム８においてスケジューリング情報およびダウンリンクデータを送信する。ダウンリンクデータに対応するダウンリンクサブフレーム４、５、６、および８により、それを使用することによってＡＣＫ／ＮＡＣＫが送信されるアップリンクサブフレームは、アップリンクサブフレーム２であることが決定され得る。
【０１３１】
ＵＥは、スケジューリング情報によりダウンリンクサブフレームにおいてダウンリンクデータを受信する。ダウンリンクサブフレームにおいてダウンリンクデータを受信し、かつダウンリンクデータを成功裏に復号すると、ＵＥは、バイナリ文字１によって表されるＡＣＫを生成する。そうではなく、復号が失敗した場合、ＵＥは、バイナリ文字０によって表されるＮＡＣＫを生成する。ＤＡＩ累積インジケーションが、サブフレームにわたるキャリアの優先のシーケンスにより累積的にカウントされる。表２を参照すると、「００」、「０１」、「１０」、および「１１」が、ＤＡＩ累積インジケーションの値が１、２、３、および４であることをそれぞれ示す。
【０１３２】
【表２】
2018525928.tif 000004
【０１３３】
単一のサブフレームに対応するＤＡＩ合計量によって示されるキャリアの量は、それぞれ、７、３、６、および５である。次に、モジュロ演算がキャリアの量に対して実行され、モジュラスは４である。ＤＡＩ合計量３、３、２、および１が獲得される。例えば、モジュロ式が、Ｙ＝［（Ｘ−１）ｍｏｄ  ４］＋１である。Ｘは、前述される７、３、６、および５などの実際のカウンタである。Ｙは、モジュロ演算後に獲得される最終の値、例えば、前述の３、３、２、および１であり、これらが、ＤＡＩ合計量インジケーションフィールドにおいて「１０」、「１０」、「０１」、および「００」によって表される。表３におけるＤＡＩ合計量１を参照されたい。
【０１３４】
【表３】
2018525928.tif 000005
【０１３５】
任意選択で、ＤＡＩ合計量は、代替として、第ｎのキャリアに対応するＤＡＩ累積インジケーションにより決定されてよい。表３におけるＤＡＩ合計量２を参照されたい。
【０１３６】
ＵＥが、ＤＡＩ累積インジケーションおよびＤＡＩ合計量インジケーションにより表２におけるダウンリンクデータに対応するＡＣＫ／ＮＡＣＫコードブックを決定してよく、かつＡＣＫ／ＮＡＣＫコードブックのビット量が２１であると決定してよい。２１は２３未満であるため、ＵＥは、ＣＲＣを追加する必要がなく、ＡＣＫ／ＮＡＣＫコードブックによりＡＣＫ／ＮＡＣＫに対してチャネル符号化を直接実行する。
【０１３７】
ダウンリンクデータに対応するダウンリンクサブフレームの量は、Ｚであるものと想定される。Ｚが２３以上である場合、ＵＥは、ＡＣＫ／ＮＡＣＫコードブックの後に８ビットＣＲＣ符号を追加する必要があり、すなわち、フィードバック情報のコードブックのビット量は、Ｚ＋８であり、ＡＣＫ／ＮＡＣＫおよびＣＲＣ符号に対してチャネル符号化を実行する必要がある。
【０１３８】
表４を参照すると、基地局が、ＵＥのために、９のＰＵＣＣＨリソース、すなわち、ＰＵＣＣＨ１からＰＵＣＣＨ９を含むＰＵＣＣＨリソースセットを構成する。範囲が［２３，４４］であるビット容量間隔１が、２つのＲＢを含むＰＵＣＣＨフォーマットに対応し、すなわち、ＰＵＣＣＨ１、ＰＵＣＣＨ４、およびＰＵＣＣＨ７のＰＵＣＣＨフォーマットはそれぞれ、２つのＲＢを含む。範囲が［４５，６４］であるビット容量間隔２が、３つのＲＢを含むＰＵＣＣＨフォーマットに対応し、すなわち、ＰＵＣＣＨ２、ＰＵＣＣＨ５、およびＰＵＣＣＨ８のＰＵＣＣＨフォーマットはそれぞれ、３つのＲＢを含む。範囲が［６５，１２８］であるビット容量間隔３が、４つまたは５つのＲＢを含むＰＵＣＣＨフォーマットに対応し、すなわち、ＰＵＣＣＨ３、ＰＵＣＣＨ６、およびＰＵＣＣＨ９のＰＵＣＣＨフォーマットはそれぞれ、４つまたは５つのＲＢを含む。ＰＵＣＣＨリソースインジケーションとビット容量間隔は、異なるＰＵＣＣＨリソースサブセットに別々に対応する。
【０１３９】
第１のコードブックのビット量は、４０ビットであり、４０∈［２３，４４］であるものと想定される。対応するビット容量間隔は、ビット容量間隔１である。ＰＵＣＣＨインジケーション情報の値が「０１」である場合、ＵＥは、「０１」およびビット容量間隔２によりＰＵＣＣＨリソースセットからＰＵＣＣＨ１を選択し、ＰＵＣＣＨ１上で符号化されたフィードバック情報を送信する。
【０１４０】
【表４】
2018525928.tif 000006
【０１４１】
２．フィードバック情報のコードブックは、ダウンリンクサブフレームサブセットにより決定される。図４を参照すると、本発明の実施形態におけるフィードバック情報送信方法の別の実施形態が、以下のステップを含む。
【０１４２】
４０１．ＵＥが、ダウンリンク制御チャネルを使用することによって基地局によって送信されるスケジューリング情報を受信し、ダウンリンク制御チャネルは、事前設定されたダウンリンクサブフレームセットに属する。
【０１４３】
４０２．ＵＥが、ダウンリンクデータチャネル上にあり、かつスケジューリング情報によりスケジュールされたダウンリンクデータを受信する。
【０１４４】
４０３．ＵＥが、アップリンクサブフレームを決定する。
【０１４５】
この実施形態において、ステップ４０１からステップ４０３は、図１に示される実施形態におけるステップ１０１からステップ１０３と同様であり、詳細が本明細書において再び説明されることはない。
【０１４６】
４０４．ＵＥが、事前設定されたダウンリンクサブフレームサブセットを決定し、事前設定されたダウンリンクサブフレームサブセットは、事前設定されたダウンリンクサブフレームセットに属する。
【０１４７】
ＵＥは、事前設定されたダウンリンクサブフレームセットにおける事前設定されたダウンリンクサブフレームサブセットを決定してよい。任意選択で、事前設定されたダウンリンクサブフレームサブセットは、スケジューリング情報によって占有されるキャリアに対応する。代替として、ＵＥは、受信されたスケジューリング情報が配置されるサブフレームにより、事前設定されたダウンリンクサブフレームサブセットを決定する。事前設定されたダウンリンクサブフレームセットにおけるすべての事前設定されたダウンリンクサブフレームサブセットにおけるダウンリンクサブフレームは、互いに重なり合わないことに留意されたい。
【０１４８】
例えば、事前設定されたダウンリンクサブフレームセットが、キャリア１から１０のサブフレーム４、５、６、および８である。スケジューリング情報が配置されるキャリアは、キャリア１から５のダウンリンクサブフレーム４、５、６、および８にあるものと想定される。ＵＥは、キャリア１から５に対応する事前設定されたダウンリンクサブフレームサブセットを検出してよく、かつ事前設定されたダウンリンクサブフレームサブセットのビット量が５*４＝４０であると決定してよい。
【０１４９】
４０５．ＵＥが、事前設定されたダウンリンクサブフレームサブセットにより第２のコードブックを決定する。
【０１５０】
ＵＥは、キャリア対サブフレームシーケンスまたはサブフレーム対キャリアシーケンスにより、スケジューリング情報に対応するＡＣＫ／ＮＡＣＫを並べ替える。事前設定されたダウンリンクサブフレームサブセットにおいてスケジューリングが実行されないダウンリンクサブフレームに関して、またはダウンリンクデータが受信されないダウンリンクサブフレームに関して、ＵＥは、第２のコードブックに０を記入して、第２のコードブックを生成するようにする。第２のコードブックは、事前設定されたダウンリンクサブフレームサブセットに対応する。
【０１５１】
４０６．ＵＥが、第２のコードブックによりフィードバック情報に対してチャネル符号化を実行する。
【０１５２】
第２のコードブックを決定した後、ＵＥは、第２のコードブックによりフィードバック情報に対してチャネル符号化を実行する。
【０１５３】
４０７．ＵＥが、ＰＵＣＣＨリソースインジケーション情報によりＰＵＣＣＨリソースを決定する。
【０１５４】
ＵＥによる、ＰＵＣＣＨリソースインジケーション情報によりＰＵＣＣＨリソースを決定することは、複数の様態で特に実施され得る。以下の任意選択の実施形態を参照されたい。
【０１５５】
任意選択で、本発明のいくつかの実施形態において、ＵＥは、ＰＵＣＣＨリソースインジケーション情報および事前設定されたダウンリンクサブフレームサブセットによりＰＵＣＣＨリソースを決定する。
【０１５６】
特に、ＰＵＣＣＨリソースインジケーション情報および事前設定されたダウンリンクサブフレームサブセットは、ＰＵＣＣＨリソースと事前設定された対応関係にある。ＵＥは、ＰＵＣＣＨインジケーション情報を受信し、ＰＵＣＣＨリソースインジケーション情報のステータスによりＰＵＣＣＨリソースサブセットを決定してよく、次に、事前設定されたダウンリンクサブフレームサブセットによりＰＵＣＣＨリソースサブセットにおけるＰＵＣＣＨリソースを決定してよい。代替として、ＵＥは、事前設定されたダウンリンクサブフレームサブセットによりＰＵＣＣＨリソースサブセットを決定し、次に、ＰＵＣＣＨリソースインジケーション情報のステータスによりＰＵＣＣＨリソースサブセットにおけるＰＵＣＣＨリソースを決定する。
【０１５７】
任意選択で、本発明のいくつかの実施形態において、ＵＥは、ＰＵＣＣＨリソースインジケーション情報およびＤＡＩ合計量インジケーションによりＰＵＣＣＨリソースを決定する。
【０１５８】
特に、図３に示される実施形態において、ＤＡＩ合計量インジケーションは、リアルタイムでスケジュールされたダウンリンクサブフレームサブセットにおけるダウンリンクサブフレームの量を示すのに使用される。しかし、図４に示されるこの実施形態において、リアルタイムでスケジュールされたダウンリンクサブフレームサブセットにおけるダウンリンクサブフレームの量を示す必要はない。したがって、フィールドに記憶されたＤＡＩ合計量インジケーションが、ＰＵＣＣＨリソースを示すのに使用されてよい。ＰＵＣＣＨリソースインジケーション情報およびＤＡＩ合計量インジケーションは、ＰＵＣＣＨリソースと事前設定された対応関係にある。ＰＵＣＣＨインジケーション情報を受信すると、ＵＥは、ＰＵＣＣＨリソースインジケーション情報のステータスによりＰＵＣＣＨリソースサブセットを決定してよく、次に、ＤＡＩ合計量インジケーションによりＰＵＣＣＨリソースサブセットにおけるＰＵＣＣＨリソースを決定してよい。代替として、ＵＥは、ＤＡＩ合計量インジケーションによりＰＵＣＣＨリソースサブセットを決定し、次に、ＰＵＣＣＨリソースインジケーション情報のステータスによりＰＵＣＣＨリソースサブセットにおけるＰＵＣＣＨリソースを決定する。
【０１５９】
４０８．ＵＥが、アップリンクサブフレームにおけるＰＵＣＣＨリソース上で、符号化されたフィードバック情報を送信する。
【０１６０】
アップリンクサブフレームにおいてＰＵＣＣＨリソースを決定した後、ＵＥは、ＰＵＣＣＨリソース上で符号化されたフィードバック情報を送信する。
【０１６１】
この実施形態において、基地局が、事前設定されたダウンリンクサブフレームサブセットにおいてスケジューリングを実行する場合、ＵＥは、事前設定されたダウンリンクサブフレームサブセットを決定することができる。基地局とＵＥの両方が、事前設定されたダウンリンクサブフレームサブセットのビット量を知ることができ、ＵＥは、事前設定されたダウンリンクサブフレームサブセットにおいてフィードバックされた第２のコードブックによりＰＵＣＣＨリソースを決定する。事前設定されたダウンリンクサブフレームサブセットのビット量は、事前設定されたダウンリンクサブフレームセットのビット量未満であるため、ＡＣＫ／ＮＡＣＫコードブックが事前設定されたダウンリンクサブフレームセットにより決定される従来技術と比較して、本発明により決定された第２のコードブックにあり、かつスケジュールされないＮＡＣＫは、従来技術におけるＡＣＫ／ＮＡＣＫコードブックにおけるＮＡＣＫ未満である。ＵＥは、第２のコードブックを使用することによって決定されたＰＵＣＣＨリソースにより、基地局により少ない無効な情報を送信し、それによって、ＰＵＣＣＨリソース利用度を向上させる。
【０１６２】
さらに、この実施形態において、ＵＥがＡＣＫ情報を検査するのを省いた場合でさえ、基地局は、事前設定されたダウンリンクサブフレームサブセットによりＨＡＲＱ機構を開始してよい。したがって、基地局が情報を誤って獲得する事例が回避される。
【０１６３】
任意選択で、本発明の実施形態におけるフィードバック情報送信方法の別の実施形態において、ＵＥは、ＰＵＣＣＨリソースインジケーション情報の第２のステータス、およびダウンリンクサブフレームサブセットにより第２のコードブックを決定する。
【０１６４】
特に、ＵＥが、ＰＵＣＣＨリソースインジケーション情報の第２のステータスを受信した場合、ＰＵＣＣＨリソースインジケーション情報の第２のステータスが、コードブック生成様態を示すのに使用され、かつ第２のコードブックは、ダウンリンクサブフレームサブセットに対応する。
【０１６５】
例えば、第２のステータスが００である場合、ＵＥは、スケジューリング情報に対応するＰＵＣＣＨリソースサブセットが０ａ、０ｂ、および０ｃであると決定してよい。スケジューリング情報に対応するキャリアは、１から５であるものと想定される。ＵＥは、ＰＵＣＣＨリソースが０ａであると決定してよい。
【０１６６】
任意選択で、本発明の実施形態のフィードバック情報送信方法の別の実施形態において、ＵＥによる、ＰＵＣＣＨリソースインジケーション情報によりＰＵＣＣＨリソースを決定することは、以下の様態で特に実施されてよい。ＵＥによる、ＰＵＣＣＨリソースインジケーション情報およびＤＡＩ合計量インジケーションによりＰＵＣＣＨリソースを決定することであり、ＤＡＩ合計量インジケーションは、リアルタイムでスケジュールされたダウンリンクサブフレームサブセットにおけるダウンリンクサブフレームの量を示すのに使用される。
【０１６７】
この実施形態において、第２のコードブックのビット量は、ダウンリンクサブフレームサブセットのビット量によって決定され、ＤＡＩ合計量を使用する必要はない。スケジューリング情報は、ＤＡＩ合計量インジケーションシグナリングを依然として含み、シグナリングは、第２のステータスによって示されるリソースセットからＰＵＣＣＨリソースを選択するのに使用され得る。
【０１６８】
任意選択で、ＰＵＣＣＨリソースインジケーション情報の第２のステータスを受信する場合、ＵＥは、ＰＵＣＣＨリソースを共同で示すようにＤＡＩ合計量インジケーションとダウンリンクサブフレームサブセットを使用してよい。
【０１６９】
任意選択で、第２のコードブックによりフィードバック情報に対してチャネル符号化を実行することの前に、ＵＥは、第２のコードブックにＣＲＣビットを追加する必要がなく、なぜなら、この事例における第２のコードブックが、事前設定されたダウンリンクサブフレームサブセットに対応するコードブックであり、かつＤＡＩに基づいて決定された第１のコードブックより堅牢であるためである。さらに、この事例において、ＣＲＣが追加されない場合、第２のコードブックのビット量は、一般に、比較的に小さいため、ＣＲＣのオーバーヘッドがさらに低減され得る。この事例において、第１のコードブックの実施形態において、符号化が実行される前に、ＣＲＣは、第１のコードブックのビット量にかかわらず、第１のコードブックに常に追加され得る。第１のコードブックを決定する解決策が、ＰＤＣＣＨの欠落した検査のリスクを有することを考慮すると、ＣＲＣを常に追加することは、保護効果を有することができる。
【０１７０】
理解の容易のため、以下は、特定の適用シナリオを使用することによって本発明の実施形態におけるフィードバック情報送信方法について詳細に説明する。
【０１７１】
基地局が、ＵＥのために１５のキャリアを構成し、かつ基地局は、キャリア１からキャリア７のサブフレーム４、キャリア１、キャリア３、およびキャリア５のサブフレーム５、キャリア１からキャリア６のサブフレーム６、およびキャリア１からキャリア５のサブフレーム８においてスケジューリング情報およびダウンリンクデータを送信する。ダウンリンクデータに対応するダウンリンクサブフレーム４、５、６、および８により、それを使用することによってＡＣＫ／ＮＡＣＫが送信されるアップリンクサブフレームは、アップリンクサブフレーム２であることが決定され得る。ＵＥは、１０のキャリアのｎのダウンリンクサブフレームを複数のダウンリンクサブフレームサブセット、例えば、ダウンリンクサブフレームサブセット１、ダウンリンクサブフレームサブセット２、およびダウンリンクサブフレームサブセット３に分割してよい。ダウンリンクサブフレームサブセット１は、アップリンクサブフレーム２に関連付けられ、かつキャリア１からキャリア７のものであるダウンリンクサブフレーム４、５、６、および８に対応し、ダウンリンクサブフレームサブセット２は、キャリア８から１０のダウンリンクサブフレーム４、５、６、および８に対応し、かつダウンリンクサブフレームサブセット３は、キャリア１１から１５のダウンリンクサブフレーム４、５、６、および８に対応するものと想定される。
【０１７２】
ＵＥは、スケジューリング情報により、ダウンリンクサブフレームサブセットはダウンリンクサブフレームサブセット１であると決定してよく、かつＤＡＩ累積インジケーションによりダウンリンクサブフレームサブセット１におけるダウンリンクデータを検出してよい。ＵＥが、ダウンリンクサブフレームサブセットにおけるダウンリンクデータを検出した場合、ＵＥは、バイナリ文字１によって表されるＡＣＫを生成し、またはＵＥが、ダウンリンクデータを検出しなかった場合、ＵＥは、バイナリ文字０によって表されるＮＡＣＫを生成して、ＡＣＫ／ＮＡＣＫコードブックを生成し、かつコードブックによりフィードバック情報を符号化するようにする。
【０１７３】
表５を参照すると、ＰＵＣＣＨリソースインジケーションの第２のステータス「００」が、３つのＰＵＣＣＨリソース（０ａ、０ｂ、および０ｃ）に対応する。ＵＥが、ダウンリンクサブフレームサブセットはダウンリンクサブフレームサブセット１であると決定するものと想定され、ＵＥは、ＰＵＣＣＨリソースセットからＰＵＣＣＨリソース０ａを選択して、符号化されたフィードバック情報を送信してよい。
【０１７４】
【表５】
2018525928.tif 000007
【０１７５】
図５を参照すると、本発明の実施形態におけるフィードバック情報受信方法の別の実施形態が、以下のステップを含む。
【０１７６】
５０１．基地局が、ダウンリンク制御チャネルを使用することによってＵＥにスケジューリング情報を送信し、かつダウンリンクデータチャネルを使用することによってダウンリンクデータを送信する。
【０１７７】
この実施形態において、ダウンリンク制御チャネルは、事前設定されたダウンリンクサブフレームセットに属し、ダウンリンクデータは、ダウンリンクデータチャネル（ＰＤＳＣＨ）を使用することによって基地局によってＵＥに送信され、スケジューリング情報は、ダウンリンクデータをスケジュールするのに使用される。
【０１７８】
５０２．基地局が、アップリンクサブフレームを決定する。
【０１７９】
それを使用することによってＡＣＫ／ＮＡＣＫがフィードバックされるダウンリンクデータチャネルとアップリンクサブフレームの間の対応関係が事前設定される。したがって、基地局は、ダウンリンクデータが送信されるダウンリンクデータチャネルを使用することによってアップリンクサブフレームを決定してよい。アップリンクサブフレームは、ＵＥによって、ダウンリンクデータに対応するフィードバック情報を送信するのに使用される。事前設定されたダウンリンクサブフレームセットは、アップリンクサブフレームに関連付けられ、かつ基地局によってＵＥのために構成されたすべてのキャリアのものであるダウンリンクサブフレームのセットである。
【０１８０】
５０３．基地局が、ＰＵＣＣＨリソースを決定する。
【０１８１】
基地局は、アップリンクサブフレームを使用することによってＵＥのために１つまたは複数のＰＵＣＣＨリソースを構成してよい。ＵＥがＰＵＣＣＨリソースを決定した後、基地局が、ＵＥとの対話によってＰＵＣＣＨリソースを決定してよい。
【０１８２】
５０４．基地局が、アップリンクサブフレームにおけるＰＵＣＣＨリソース上で、ＵＥによって送信される符号化されたフィードバック情報を受信する。
【０１８３】
ＵＥがスケジューリング情報によりフィードバック情報を決定し、フィードバック情報を符号化し、かつ符号化されたフィードバック情報を基地局に送信した後、基地局が、ＰＵＣＣＨリソース上で、符号化されたフィードバック情報を受信する。
【０１８４】
５０５．基地局が、受信された符号化されたフィードバック情報を復号して、フィードバック情報のコードブックを獲得する。
【０１８５】
この実施形態において、基地局は、スケジューリング情報を送信してよく、ＵＥは、スケジューリング情報によりフィードバック情報を生成し、フィードバック情報を符号化し、かつ符号化されたフィードバック情報を基地局に送信してよい。基地局は、ＵＥによって送信された符号化されたフィードバック情報を受信し、符号化されたフィードバック情報を復号して、フィードバック情報のコードブックを獲得してよい。
【０１８６】
任意選択で、本発明のいくつかの実施形態において、スケジューリング情報は、ＤＡＩ累積インジケーションを含み、ＤＡＩ累積インジケーションは、第１のコードブックを決定するようＵＥに命令するのに使用され、ＤＡＩ累積インジケーションは、リアルタイムでスケジュールされたダウンリンクサブフレームサブセットのスケジューリング情報のそれぞれに配置され、ＤＡＩ累積インジケーションの値は、リアルタイムでスケジュールされたダウンリンクサブフレームサブセットにおけるサブフレームにわたるキャリアの優先のシーケンスにより累積的にカウントされ、第１のコードブックは、リアルタイムでスケジュールされたダウンリンクサブフレームサブセットに対応し、リアルタイムでスケジュールされたダウンリンクサブフレームサブセットは、現在、実際にスケジュールされており、かつ事前設定されたダウンリンクサブフレームセットにあるダウンリンクサブフレームのセットである。
【０１８７】
特に、基地局がＵＥにＤＡＩ累積インジケーションを送信した後、ＵＥは、ＤＡＩ累積インジケーションにより第１のコードブックを決定してよい。ＵＥによる、ＤＡＩ累積インジケーションにより第１のコードブックを決定するプロセスに関して、図３に示される方法実施形態を参照されたい。
【０１８８】
任意選択で、本発明のいくつかの実施形態において、スケジューリング情報は、ＤＡＩ合計量インジケーションをさらに含んでよく、かつＤＡＩ合計量インジケーションは、リアルタイムでスケジュールされたダウンリンクサブフレームサブセットにおけるダウンリンクサブフレームの量を示すのに使用される。
【０１８９】
特に、スケジューリング情報は、ＤＡＩ累積インジケーションと、ＤＡＩ合計量インジケーションとを含み、基地局が、ＤＡＩ累積インジケーションおよびＤＡＩ合計量インジケーションをＵＥに送信した後、ＵＥは、ＤＡＩ累積インジケーションおよびＤＡＩ合計量インジケーションにより第１のコードブックを決定してよい。ＵＥによる、ＤＡＩ累積インジケーションおよびＤＡＩ合計量インジケーションにより第１のコードブックを決定するプロセスに関して、図３に示される方法実施形態を参照されたい。
【０１９０】
任意選択で、本発明のいくつかの実施形態において、スケジューリング情報は、ＰＵＣＣＨリソースインジケーション情報を含み、ＰＵＣＣＨリソースインジケーション情報は、ＰＵＣＣＨリソースインジケーション情報の第１のステータスであり、かつＰＵＣＣＨリソースインジケーション情報の第１のステータスは、第１のコードブックを決定するようＵＥに命令するのに使用される。
【０１９１】
特に、基地局は、ＰＵＣＣＨリソースインジケーション情報をＵＥに送信し、ＰＵＣＣＨリソースインジケーション情報が第１のステータスである場合、ＵＥは、ＤＡＩ累積インジケーションにより第１のコードブックを決定する、またはＵＥは、ＤＡＩ累積インジケーションおよびＤＡＩ合計量インジケーションにより第１のコードブックを決定する。
【０１９２】
任意選択で、本発明のいくつかの実施形態において、スケジューリング情報は、ＰＵＣＣＨリソースインジケーション情報を含み、かつＰＵＣＣＨリソースインジケーション情報、および第１のコードブックのビット量は、ＰＵＣＣＨリソースを示すのに使用される。
【０１９３】
特に、基地局がＵＥにＰＵＣＣＨリソースインジケーション情報を送信した後、かつＰＵＣＣＨリソースインジケーション情報は、第１のステータスであり、ＵＥは、ＰＵＣＣＨリソースインジケーション情報の第１のステータスにより第１のコードブックを決定してよく、かつ第１のコードブックのビット量を獲得して、ＵＥが、ＰＵＣＣＨリソースインジケーション情報、および第１のコードブックのビット量により、事前設定されたＰＵＣＣＨリソースセットにおけるＰＵＣＣＨリソースを決定し得るようにしてよい。
【０１９４】
任意選択で、本発明のいくつかの実施形態において、方法は、基地局による、事前設定されたダウンリンクサブフレームサブセットを決定することであって、事前設定されたダウンリンクサブフレームサブセットは、事前設定されたダウンリンクサブフレームセットに属し、スケジューリング情報は、事前設定されたダウンリンクサブフレームサブセットに属し、かつ事前設定されたダウンリンクサブフレームサブセットは、ＵＥによって第２のコードブックを決定するのに使用されることをさらに含む。
【０１９５】
特に、基地局は、事前設定されたダウンリンクサブフレームセットにおける事前設定されたダウンリンクサブフレームサブセットを決定してよく、かつ事前設定されたダウンリンクサブフレームサブセットにおいてＵＥにスケジューリング情報を送信してよい。ＵＥは、スケジューリング情報に対応するキャリアまたはサブフレームにより事前設定されたダウンリンクサブフレームサブセットを決定してよく、かつ事前設定されたダウンリンクサブフレームサブセットにより第２のコードブックを決定してよい。ＵＥによる、事前設定されたダウンリンクサブフレームサブセットにより第２のコードブックを決定するプロセスに関して、図４に示される方法実施形態を参照されたい。
【０１９６】
任意選択で、本発明のいくつかの実施形態において、スケジューリング情報は、ＰＵＣＣＨリソースインジケーション情報を含み、ＰＵＣＣＨリソースインジケーション情報は、ＰＵＣＣＨリソースインジケーション情報の第２のステータスであり、かつＰＵＣＣＨリソースインジケーション情報の第２のステータスは、第２のコードブックを決定するようＵＥに命令するのに使用される。
【０１９７】
特に、基地局が事前設定されたダウンリンクサブフレームサブセットを決定した後、基地局は、事前設定されたダウンリンクサブフレームサブセットにおいてＵＥにスケジューリング情報を送信する。スケジューリング情報は、ＰＵＣＣＨリソースインジケーション情報を含む。ＰＵＣＣＨリソースインジケーション情報が第２のステータスである場合、ＵＥは、第２のコードブックを決定してよい。
【０１９８】
任意選択で、本発明のいくつかの実施形態において、スケジューリング情報は、ＰＵＣＣＨリソースインジケーション情報を含む。
【０１９９】
特に、ＰＵＣＣＨリソースインジケーション情報および事前設定されたダウンリンクサブフレームサブセットは、ＰＵＣＣＨリソースを決定するようＵＥに命令するのに使用される。ＰＵＣＣＨリソースインジケーション情報および事前設定されたダウンリンクサブフレームサブセットは、ＰＵＣＣＨリソースと対応関係にある。基地局が、事前設定されたダウンリンクサブフレームサブセットにおいてＵＥにスケジューリング情報を送信すると、ＵＥは、スケジューリング情報に対応するキャリアまたはサブフレームにより事前設定されたダウンリンクサブフレームサブセットを決定し、事前設定されたダウンリンクサブフレームサブセットにより第２のコードブックを決定し、かつ第２のコードブックのビット量によりＰＵＣＣＨリソースを決定する。
【０２００】
任意選択で、本発明のいくつかの実施形態において、スケジューリング情報は、ＰＵＣＣＨリソースインジケーション情報と、ＤＡＩ合計量インジケーションとを含む。
【０２０１】
特に、ＤＡＩ合計量インジケーションは、ＰＵＣＣＨリソースを決定するようＵＥに命令するのに使用される。基地局は、ＵＥにＰＵＣＣＨリソースインジケーション情報およびＤＡＩ合計量インジケーションを送信してよく、ＵＥは、ＰＵＣＣＨリソースインジケーションおよびＤＡＩ合計量インジケーションによりＰＵＣＣＨリソースを決定してよい。
【０２０２】
以上は、ユニット化された機能エンティティの見地から本発明の実施形態におけるＵＥについて説明し、以下は、ハードウェア処理の見地から本発明の実施形態におけるＵＥについて説明する。図６を参照すると、本発明の実施形態におけるＵＥ６００が、受信装置６０１と、送信装置６０２と、プロセッサ６０３と、メモリ６０４とを含む（ＵＥ６００において１つまたは複数のプロセッサ６０３が存在してよく、例えば、図６において１つのプロセッサ６０３が存在する）。プロセッサ６０３およびメモリ６０４は、受信装置６０１を使用することによってＵＥの外部の情報を受信し、かつプロセッサ６０３およびメモリ６０４は、送信装置６０２を使用することによってＵＥから情報を送信する。本発明のいくつかの実施形態において、受信装置６０１、送信装置６０２、プロセッサ６０３、およびメモリ６０４は、バスを介して、または別の様態で接続されてよい。メモリ６０４は、読取り専用メモリと、ランダムアクセスメモリとを含んでよく、かつプロセッサ６０３に命令およびデータを供給してよい。メモリ６０４の一部分は、ＲＡＭをさらに含んでよく、または不揮発性メモリをさらに含んでよい。受信装置６０１、送信装置６０２、プロセッサ６０３、およびメモリ６０４がバスを介して接続される例が、図６において使用される。
【０２０３】
受信装置６０１は、図１に示される実施形態における受信モジュール１０１の機能を実現するように構成され得る。
【０２０４】
送信装置６０２は、図１に示される実施形態における送信モジュール１０３の機能を実現するように構成され得る。
【０２０５】
プロセッサ６０３は、図１に示される実施形態における処理モジュール１０２の機能を実現するように構成され得る。
【０２０６】
図７を参照すると、本発明の実施形態における基地局７００が、
受信装置７０１と、送信装置７０２と、プロセッサ７０３と、メモリ７０４とを含む（ＵＥ７００において１つまたは複数のプロセッサ７０３が存在してよく、例えば、図７において１つのプロセッサ７０３が存在する）。プロセッサ７０３およびメモリ７０４は、受信装置７０１を使用することによってＵＥの外部の情報を受信し、かつプロセッサ７０３およびメモリ７０４は、送信装置７０２を使用することによってＵＥから情報を送信する。本発明のいくつかの実施形態において、受信装置７０１、送信装置７０２、プロセッサ７０３、およびメモリ７０４は、バスを介して、または別の様態で接続されてよい。メモリ７０４は、読取り専用メモリと、ランダムアクセスメモリとを含んでよく、かつプロセッサ７０３に命令およびデータを供給してよい。メモリ７０４の一部分は、ＲＡＭをさらに含んでよく、または不揮発性メモリをさらに含んでよい。受信装置７０１、送信装置７０２、プロセッサ７０３、およびメモリ７０４がバスを介して接続される例が、図７において使用される。
【０２０７】
受信装置７０１は、図２に示される実施形態における受信モジュール２０３の機能を実現するように構成され得る。
【０２０８】
送信装置７０２は、図２に示される実施形態における送信モジュール２０１の機能を実現するように構成され得る。
【０２０９】
プロセッサ７０３は、図２に示される実施形態における処理モジュール２０２の機能を実現するように構成され得る。
【０２１０】
便宜および簡単な説明の目的で、前述のシステム、装置、およびユニットの詳細な動作プロセスに関して、前述の方法の実施形態における対応するプロセスを参照し、詳細が本明細書において再び説明されることはないことが当業者によって明瞭に理解され得る。
【０２１１】
本出願において提供されるいくつかの実施形態において、開示されるシステム、装置、および方法は、他の様態で実施されてよいことを理解されたい。例えば、前述の装置の実施形態は例に過ぎない。例えば、ユニット分割は、論理的な機能分割に過ぎず、実際の実装において他の分割であってよい。例えば、複数のユニットもしくは構成要素が組み合わされて、もしくは統合されて別のシステムにされてよく、またはいくつかの特徴が無視されてよく、もしくは実行されなくてよい。さらに、表示される、もしくは説明される相互結合または直接の結合もしくは通信接続は、いくつかのインターフェースを使用することによって実施されてよい。装置間もしくはユニット間の間接の結合もしくは通信接続は、電子形態、機械形態、または他の形態で実施されてよい。
【０２１２】
別々の部分として説明されるユニットは、物理的に別々であってよく、またはそうでなくてよく、ユニットとして表示される部分は、物理的ユニットであってよく、またはそうでなくてよく、１つの位置に配置されてよく、または複数のネットワークユニット上に分散されてよい。ユニットのうちのいくつか、またはすべてが、実際の要求により、実施形態の解決策の目的を実現するように選択されてよい。
【０２１３】
さらに、本発明の実施形態における機能ユニットは、統合されて１つの処理ユニットにされてよく、またはユニットのそれぞれが、物理的に単独で存在してよく、または２つ以上のユニットが統合されて１つのユニットにされてよい。統合されたユニットは、ハードウェアの形態で実施されてよく、またはソフトウェア機能ユニットの形態で実施されてよい。
【０２１４】
統合されたユニットがソフトウェア機能ユニットの形態で実施され、かつ独立した製品として販売される、もしくは使用される場合、統合されたユニットは、コンピュータ可読記憶媒体に記憶され得る。そのような理解に基づいて、本発明の技術的解決策は、本質的に、あるいは技術的解決策の従来技術に寄与する部分、またはそのすべて、もしくはいくつかが、ソフトウェア製品の形態で実施されてよい。ソフトウェア製品は、記憶媒体に記憶され、本発明の実施形態において説明される方法のステップのすべて、またはいくつかを実行するようコンピュータデバイス（パーソナルコンピュータ、サーバ、またはネットワークデバイスであってよい）に命令するためのいくつかの命令を含む。前述の記憶媒体は、ＵＳＢフラッシュドライブ、リムーバブルハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどのプログラムコードを記憶することができる任意の媒体を含む。
【０２１５】
前述の実施形態は、本発明の技術的解決策について説明することだけを意図しているに過ぎず、本発明を限定することは意図していない。本発明は、前述の実施形態を参照して詳細に説明されるものの、当業者は、それでも、本発明の実施形態の技術的解決策の趣旨および範囲を逸脱することなく前述の実施形態において説明される技術的解決策を変形してよく、またはそのような実施形態のいくつかの技術的特徴に均等の置換を行ってよいことを理解するはずである。
【図１】
2018525928.tif 000008
【図２】
2018525928.tif 000009
【図３】
2018525928.tif 000010
【図４】
2018525928.tif 000011
【図５】
2018525928.tif 000012
【図６】
2018525928.tif 000013
【図７】
2018525928.tif 000014
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
ダウンリンク制御チャネルを使用することによって基地局によって送信されるスケジューリング情報を受信するように構成された受信モジュールであって、前記ダウンリンク制御チャネルは、事前設定されたダウンリンクサブフレームセットに属し、
前記受信モジュールは、ダウンリンクデータチャネル上にあり、かつ前記スケジューリング情報によりスケジュールされたダウンリンクデータを受信するようにさらに構成された、受信モジュールと、
アップリンクサブフレームを決定するように構成された処理モジュールであって、前記アップリンクサブフレームは、前記ダウンリンクデータに対応するフィードバック情報を送信するのに使用され、かつ前記事前設定されたダウンリンクサブフレームセットは、前記アップリンクサブフレームに関連付けられ、かつ前記基地局によって装置のために構成されたすべてのキャリアのものであるダウンリンクサブフレームのセットであり、
前記処理モジュールは、前記フィードバック情報のコードブックを決定するようにさらに構成され、
前記処理モジュールは、前記フィードバック情報の前記コードブックにより前記フィードバック情報に対してチャネル符号化を実行するようにさらに構成され、かつ
前記処理モジュールは、物理アップリンク制御チャネルＰＵＣＣＨリソースインジケーション情報によりＰＵＣＣＨリソースを決定するようにさらに構成された、処理モジュールと、
前記アップリンクサブフレームにおける前記ＰＵＣＣＨリソース上で、符号化されたフィードバック情報を送信するように構成された送信モジュールと
を備える装置。
【請求項２】
前記フィードバック情報の前記コードブックは、第１のコードブックであり、前記処理モジュールは、
ダウンリンク割当てインデックス（ＤＡＩ）累積インジケーションにより前記第１のコードブックを決定するように特に構成され、前記ＤＡＩ累積インジケーションは、リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項１に記載の装置。
【請求項３】
前記処理モジュールは、
前記ＤＡＩ累積インジケーションおよびＤＡＩ合計量インジケーションにより前記第１のコードブックを決定するように特に構成され、前記ＤＡＩ合計量インジケーションは、前記リアルタイムでスケジュールされたダウンリンクサブフレームサブセットにおける現在のダウンリンク前の現在のダウンリンクサブフレームおよびすべてのダウンリンクサブフレームに対応するスケジュールされたキャリアの総量を示すのに使用される請求項２に記載の装置。
【請求項４】
前記処理モジュールは、
前記アップリンクサブフレームにおいて事前設定されたＰＵＣＣＨリソースセットを決定し、および
前記第１のコードブックのビット量、および前記ＰＵＣＣＨリソースインジケーション情報により前記事前設定されたリソースセットにおける前記ＰＵＣＣＨリソースを決定し、または、前記ＰＵＣＣＨリソース指示情報、前記第１のコードブックのビット量、および前記チャネル状態情報（ＣＳＩ）のビット量により、前記事前設定されたＰＵＣＣＨリソースセット内のＰＵＣＣＨリソースを決定するように特に構成される請求項２または請求項３に記載の装置。
【請求項５】
前記処理モジュールは、
前記事前設定されたＰＵＣＣＨリソースセット内のＰＵＣＣＨリソースサブセットを決定し、および
前記ＰＵＣＣＨリソース指示情報の状態により、前記ＰＵＣＣＨリソースサブセット内の前記ＰＵＣＣＨリソースを決定するように特に構成される請求項４に記載の装置。
【請求項６】
前記処理モジュールは、
前記第１のコードブックのビット量により、ビット容量間隔を決定し、および
前記第１のコードブックのビット量および前記ＰＵＣＣＨリソース指示情報により、前記事前設定されたＰＵＣＣＨリソースセット内のＰＵＣＣＨリソースサブセットを決定するように特に構成される請求項４に記載の装置。
【請求項７】
前記ビット容量間隔はあらかじめ定義され、または
前記ビット容量間隔は、ＲＲＣシグナリングを用いることにより、前記装置のための基地局によって設定される請求項６に記載の装置。
【請求項８】
前記事前設定されたＰＵＣＣＨリソースセットは、複数の異なるＰＵＣＣＨフォーマットのＰＵＣＣＨリソースを含む請求項４乃至７のいずれか一項に記載の装置。
【請求項９】
ダウンリンク制御チャネルを使用することによってユーザ機器ＵＥにスケジューリング情報を送信し、およびダウンリンクデータチャネルを使用することによってダウンリンクデータを送信するように構成された送信モジュールであって、前記ダウンリンク制御チャネルは、事前設定されたダウンリンクサブフレームセットに属し、かつ前記スケジューリング情報は、前記ダウンリンクデータをスケジュールするのに使用される、送信モジュールと、
アップリンクサブフレームを決定するように構成された処理モジュールであって、前記アップリンクサブフレームは、前記ＵＥによって、前記ダウンリンクデータに対応するフィードバック情報を送信するのに使用され、かつ前記事前設定されたダウンリンクサブフレームセットは、前記アップリンクサブフレームに関連付けられ、かつ装置によって前記ＵＥのために構成されたすべてのキャリアのものであるダウンリンクサブフレームのセットであり、
前記処理モジュールは、ＰＵＣＣＨリソースを決定するようにさらに構成される、処理モジュールと、
前記アップリンクサブフレームにおける前記ＰＵＣＣＨリソース上で、前記ＵＥによって送信される符号化されたフィードバック情報を受信するように構成された受信モジュールと
を備え、
前記処理モジュールは、前記受信された符号化されたフィードバック情報を復号して、前記フィードバック情報のコードブックを獲得するようにさらに構成される、装置。
【請求項１０】
前記スケジューリング情報は、ダウンリンク割当てインデックス（ＤＡＩ）累積インジケーションを備え、前記ＤＡＩ累積インジケーションは、第１のコードブックを決定するよう前記ＵＥに命令するのに使用され、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項９に記載の装置。
【請求項１１】
前記スケジューリング情報は、ＤＡＩ合計量インジケーションをさらに備え、かつ前記ＤＡＩ合計量インジケーションは、前記リアルタイムでスケジュールされたダウンリンクサブフレームサブセットにおける現在のダウンリンクサブフレーム前の現在のダウンリンクサブフレームおよびすべてのダウンリンクサブフレームに対応するスケジュールされたキャリアの総量を示すのに使用される請求項１０に記載の装置。
【請求項１２】
前記スケジューリング情報は、ＰＵＣＣＨリソースインジケーション情報を備え、かつ前記ＰＵＣＣＨリソースインジケーション情報、および前記第１のコードブックのビット量は、前記事前設定されたＰＵＣＣＨリソースセット内の前記ＰＵＣＣＨリソースを示すのに使われ、又は
前記第１のコードブックのビット量および前記ＰＵＣＣＨリソース指示情報は、前記事前設定されたＰＵＣＣＨリソースセット内のＰＵＣＣＨリソースサブセットを示すために使用され、
前記ＰＵＣＣＨリソース指示情報の状態は、ＰＵＣＣＨリソースサブセット内のＰＵＣＣＨリソースを示すために使用される請求項１０または１１に記載の装置。
【請求項１３】
前記第１のコードブックのビット量および前記ＰＵＣＣＨリソース指示情報は、前記事前設定されたＰＵＣＣＨリソースセット内のＰＵＣＣＨリソースサブセットを示すために使用され、かつ、
前記ＰＵＣＣＨリソース指示情報の状態は、前記ＰＵＣＣＨリソースサブセット内の前記ＰＵＣＣＨリソースを示すために使用される請求項１２に記載の装置。
【請求項１４】
第１のコードブックのビット量に対応するビット容量間隔およびＰＵＣＣＨリソース指示情報は、ＰＵＣＣＨリソースを示すために使用される請求項１２に記載の装置。
【請求項１５】
前記ビット容量間隔はあらかじめ定義され、または
前記ビット容量間隔は、ＲＲＣシグナリングを使用することによってＵＥのための装置によって設定される請求項１４に記載の装置。
【請求項１６】
前記事前設定されたＰＵＣＣＨリソースセットは、複数の異なるＰＵＣＣＨフォーマットのＰＵＣＣＨリソースを含む請求項１２乃至１５のいずれか一項に記載の装置。
【請求項１７】
装置による、ダウンリンク制御チャネルを使用することによって基地局によって送信されるスケジューリング情報を受信するステップであって、前記ダウンリンク制御チャネルは、事前設定されたダウンリンクサブフレームセットに属する、ステップと、
前記装置による、ダウンリンクデータチャネル上にあり、かつ前記スケジューリング情報によりスケジュールされたダウンリンクデータを受信するステップと、
前記装置による、アップリンクサブフレームを決定するステップであって、前記アップリンクサブフレームは、前記ダウンリンクデータに対応するフィードバック情報を送信するのに使用され、かつ前記事前設定されたダウンリンクサブフレームセットは、前記アップリンクサブフレームに関連付けられ、かつ前記基地局によって前記装置のために構成されたすべてのキャリアのものであるダウンリンクサブフレームのセットである、ステップと、
前記装置による、前記フィードバック情報のコードブックを決定するステップと、
前記装置による、前記フィードバック情報の前記コードブックにより前記フィードバック情報に対してチャネル符号化を実行するステップと、
前記装置による、物理アップリンク制御チャネルＰＵＣＣＨリソースインジケーション情報によりＰＵＣＣＨリソースを決定するステップと、
前記装置による、前記アップリンクサブフレームにおける前記ＰＵＣＣＨリソース上で、符号化されたフィードバック情報を送信するステップと
を備えるフィードバック情報送信方法。
【請求項１８】
前記フィードバック情報の前記コードブックは、第１のコードブックであり、前記装置による、前記フィードバック情報のコードブックを決定する前記ステップは、
前記装置による、ダウンリンク割当てインデックス（ＤＡＩ）累積インジケーションにより前記第１のコードブックを決定するステップであって、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである、ステップを備える請求項１７に記載の方法。
【請求項１９】
前記装置による、ＤＡＩ累積インジケーションにより前記第１のコードブックを決定する前記ステップは、
前記装置による、前記ＤＡＩ累積インジケーションおよびＤＡＩ合計量インジケーションにより前記第１のコードブックを決定するステップであって、前記ＤＡＩ合計量インジケーションは、前記リアルタイムでスケジュールされたダウンリンクサブフレームサブセットにおける現在のダウンリンクフレーム前の現在のダウンリンクサブフレームおよびすべてのダウンリンクサブフレームに対応するスケジュールされたキャリアの総量を示すのに使用される、ステップを備える請求項１８に記載の方法。
【請求項２０】
前記装置による、ＰＵＣＣＨリソースインジケーション情報によりＰＵＣＣＨリソースを決定する前記ステップは、
前記装置による、前記アップリンクサブフレームにおける事前設定されたＰＵＣＣＨリソースセットを決定するステップと、
前記装置による、前記第１のコードブックのビット量、および前記ＰＵＣＣＨリソースインジケーション情報により前記リソースセットにおける前記ＰＵＣＣＨリソースを決定する、または、前記装置による、前記ＰＵＣＣＨリソース指示情報、前記第１のコードブックのビット量、および前記チャネル状態情報（ＣＳＩ）のビット量により、前記事前設定されたＰＵＣＣＨリソースセット内の前記ＰＵＣＣＨリソースを決定するステップとを備える請求項１８または請求項１９に記載の方法。
【請求項２１】
前記装置による、前記第１のコードブックのビット量、および前記ＰＵＣＣＨリソースインジケーション情報により前記事前設定されたＰＵＣＣＨリソースセットにおける前記ＰＵＣＣＨリソースを決定する前記ステップは、
前記装置による、前記事前設定されたＰＵＣＣＨリソースセット内の前記ＰＵＣＣＨリソースサブセットを決定するステップと、
前記ＰＵＣＣＨリソース指示情報の状態に従って、前記ＰＵＣＣＨリソースサブセット内の前記ＰＵＣＣＨリソースを前記装置によって決定するステップとを備える請求項２０に記載の方法。
【請求項２２】
前記装置による、前記第１のコードブックのビット量、および前記ＰＵＣＣＨリソース指示情報により前記事前設定されたＰＵＣＣＨリソースセット内のＰＵＣＣＨリソースを決定する前記ステップは、
前記装置による、前記第１コードブックのビット量によりビット容量間隔を決定するステップと、
前記装置による、前記ビット容量間隔および前記ＰＵＣＣＨリソース指示情報により前記事前設定されたＰＵＣＣＨリソースセット内の前記ＰＵＣＣＨリソースを決定するステップとを備える請求項２０に記載の方法。
【請求項２３】
前記ビット容量間隔はあらかじめ定義され、または
前記ビット容量間隔は、ＲＲＣシグナリングを用いることにより前記装置のための前記基地局によって設定される請求項２２に記載の方法。
【請求項２４】
前記事前設定されたＰＵＣＣHリソースセットは、複数の異なるＰＵＣＣＨフォーマットのＰＵＣＣリソースを含む請求項２０乃至２３のいずれか一項に記載の方法。
【請求項２５】
装置による、ダウンリンク制御チャネルを使用することによってユーザ機器（ＵＥ）にスケジューリング情報を送信するステップ、およびダウンリンクデータチャネルを使用することによってダウンリンクデータを送信するステップであって、前記ダウンリンク制御チャネルは、事前設定されたダウンリンクサブフレームセットに属し、かつ前記スケジューリング情報は、前記ダウンリンクデータをスケジュールするのに使用される、ステップと、
前記装置による、アップリンクサブフレームを決定するステップであって、前記アップリンクサブフレームは、前記ＵＥによって、前記ダウンリンクデータに対応するフィードバック情報を送信するのに使用され、かつ前記事前設定されたダウンリンクサブフレームセットは、前記アップリンクサブフレームに関連付けられ、かつ前記装置によって前記ＵＥのために構成されたすべてのキャリアのものであるダウンリンクサブフレームのセットである、ステップと、
前記装置による、ＰＵＣＣＨリソースを決定するステップと、
前記装置による、前記アップリンクサブフレームにおける前記ＰＵＣＣＨリソース上で、前記ＵＥによって送信された符号化されたフィードバック情報を受信するステップと、
前記装置による、前記受信された符号化されたフィードバック情報を復号して、前記フィードバック情報のコードブックを獲得するステップと
を備えるフィードバック情報受信方法。
【請求項２６】
前記スケジューリング情報は、ダウンリンク割当てインデックス（ＤＡＩ）累積インジケーションを備え、前記ＤＡＩ累積インジケーションは、第１のコードブックを決定するよう前記ＵＥに命令するのに使用され、前記ＤＡＩ累積インジケーションは、前記リアルタイムでスケジュールされたダウンリンクサブフレームサブセットのスケジューリング情報のそれぞれに配置され、前記ＤＡＩ累積インジケーションの値は、前記リアルタイムでスケジュールされたダウンリンクサブフレームサブセットにおけるサブフレームにわたるキャリアの優先のシーケンスにより累積的にカウントされ、前記第１のコードブックは、前記リアルタイムでスケジュールされたダウンリンクサブフレームサブセットに対応し、前記リアルタイムでスケジュールされたダウンリンクサブフレームサブセットは、現在、実際にスケジュールされており、かつ前記事前設定されたダウンリンクサブフレームセットにあるダウンリンクサブフレームのセットである請求項２５に記載の方法。
【請求項２７】
前記スケジューリング情報は、ＤＡＩ合計量インジケーションをさらに備え、かつ前記ＤＡＩ合計量インジケーションは、前記リアルタイムでスケジュールされたダウンリンクサブフレームサブセットにおける現在のダウンリンクサブフレーム前の現在のダウンリンクサブフレームおよびすべてのダウンリンクサブフレームに対応するスケジュールされたキャリアの総量を示すのに使用される請求項２６に記載の方法。
【請求項２８】
前記スケジューリング情報は、ＰＵＣＣＨリソースインジケーション情報を備え、かつ前記ＰＵＣＣＨリソースインジケーション情報、および前記第１のコードブックのビット量は、前記事前設定されたＰＵＣＣＨリソースセット内の前記ＰＵＣＣＨリソースを決定するよう前記ＵＥに命令するのに使用される、または、
前記ＰＵＣＣＨリソース指示情報、前記第１のコードブックのビット量、および前記チャネル状態情報（ＣＳＩ）のビット量は、前記事前設定されたＰＵＣＣＨリソースセット内の前記ＰＵＣＣＨリソースを示すのに使用される請求項２６または２７に記載の方法。
【請求項２９】
前記第１のコードブックのビット量および前記ＰＵＣＣＨリソース指示情報は、前記事前設定されたＰＵＣＣＨリソースセット内の前記ＰＵＣＣＨリソースサブセットを示すために使用され、かつ、前記ＰＵＣＣＨリソース指示情報の状態は、前記ＰＵＣＣＨリソースサブセット内の前記ＰＵＣＣＨリソースを示すために使用される請求項２８に記載の方法。
【請求項３０】
前記第１のコードブックの前記ビット量に対応するビット容量間隔および前記ＰＵＣＣＨリソース指示情報は、前記ＰＵＣＣＨリソースを示すために使用される請求項２８に記載の方法。
【請求項３１】
前記ビット容量間隔はあらかじめ定義され、または
前記ビット容量間隔は、ＲＲＣシグナリングを使用することによって前記ＵＥのための前記装置によって設定される請求項３０に記載の方法。
【請求項３２】
前記事前設定されたＰＵＣＣＨリソースセットは、複数の異なるＰＵＣＣＨフォーマットのＰＵＣＣＨリソースを含む請求項２８乃至３１のいずれか一項に記載の方法。
【請求項３３】
プログラムが記録されたコンピュータ可読記憶媒体であって、 前記プログラムは、コンピュータに請求項１７乃至２４のいずれか一項に記載の方法を実行させる、コンピュータ可読記憶媒体。
【請求項３４】
プログラムが記録されたコンピュータ可読記憶媒体であって、前記プログラムは、コンピュータ、請求項２５乃至３２のいずれか一項に記載の方法を実行させる、コンピュータ可読記憶媒体。
【請求項３５】
互いに通信する基地局およびユーザ機器を含み、前記ユーザ機器は、請求項１７乃至２４のいずれか一項に記載の方法を実行し、かつ、前記基地局は、請求項２５乃至３２のいずれか一項に記載の方法を実行する、通信システム。
【国際調査報告】
2018525928.tif 000015
2018525928.tif 000016
2018525928.tif 000017
2018525928.tif 000018